(57)【要約】      （修正有）【課題】デバイス間における協調的な通信のための方法、装置、およびコンピュータプログラム製品が提供する。【解決手段】通信デバイスは、ピアデバイスに関連付けられるイベントが発生したことを示す通信環境内においてピアデバイスからメッセージを受信するよう動作する。さらに、メッセージの受信に基づいて、機能のうちの少なくとも１つを標準の動作状態から修正された動作状態に変更するよう動作する。同様に、ピアデバイス上においてアクティブな様々な機能を示すメッセージを受信するよう動作する。デバイスがイベントの発生を検出する場合、ピアデバイスに関連付けられる様々な機能のうちのいずれかが影響されうるかどうかを決定し、機能のうちのいずれかが影響される場合、影響された機能に関連付けられるピアデバイスのためにメッセージを生成し、メッセージをピアデバイスに送信する。【選択図】図４
2016225999.tif 000002
【特許請求の範囲】
【請求項１】
通信の方法であって、
第１のデバイスが、第２のデバイスから第１のメッセージを受信することと、ここにおいて、前記第１のメッセージは、前記第２のデバイスに関連付けられるイベントの発生を示す情報、または前記イベントの前記発生に基づいて１つまたは複数の機能を修正するよう前記第１のデバイスに促す情報のうちの少なくとも１つを含み、前記第１のデバイスおよび前記第２のデバイスは、ピアネットワークに関連付けられる、
前記１つまたは複数の機能のうちの少なくとも１つを標準の動作状態から修正された動作状態に変更することと
を備える、方法。
【請求項２】
前記第２のデバイスから第２のメッセージを受信することと、ここにおいて、前記第２のメッセージは、前記イベントの前記発生が完了したことを示す情報を含む、
前記１つまたは複数の機能のうちの前記少なくとも１つを前記修正された動作状態から前記標準の動作状態に戻すように変更することと
をさらに備える、請求項１に記載の方法。
【請求項３】
前記第２のデバイスが前記ピアネットワークに関連付けられることを検出することと、
前記１つまたは複数の機能のうちのどれが前記第１のデバイス上において現在アクティブなのかを示す第３のメッセージを送信することと
をさらに備える、請求項１に記載の方法。
【請求項４】
前記第３のメッセージは、周期的基準で送信される、請求項３に記載の方法。
【請求項５】
前記イベントの前記発生は、
前記第２のデバイスに関連付けられる１つまたは複数の機能が前記第２のデバイス上において今現在アクティブであるというインジケーション、
前記第２のデバイスによる呼の受信、
前記第２のデバイスによる通知の受信、
前記第２のデバイスによる帯域幅集中的アクティビティの受信、
前記第２のデバイスによる前記呼の開始、
前記第２のデバイスによる前記通知の開始、
前記第２のデバイスによる前記帯域幅集中的アクティビティの開始、またはそれらの任意の組み合わせのうちの少なくとも１つを備える、請求項１に記載の方法。
【請求項６】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、請求項１に記載の方法。
【請求項７】
前記１つまたは複数の機能のうちの少なくとも１つを前記標準の動作状態から前記修正された動作状態に変更することは、
前記第１のデバイス上において現在アクティブなアプリケーションの動作を中止すること、
前記ピアネットワーク上において帯域幅使用を修正すること、
前記第１のデバイス上においてユーザインタフェースをオフにすること、または、
前記第１のデバイス上においてコンテンツの提示を一時停止することのうちの少なくとも１つを備える、請求項１に記載の方法。
【請求項８】
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、請求項１に記載の方法。
【請求項９】
通信の方法であって、
第１のデバイスが、第２のデバイスから第１のメッセージを受信することと、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記第１のデバイスに関連付けられるイベントの発生を検出することと、
前記１つまたは複数の機能のうちの少なくとも１つの動作状態が前記イベントの前記発生に基づいて修正されるべきであることを、前記第１のメッセージに基づいて、決定することと、
前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成することと、
前記第２のメッセージを前記第２のデバイスに送信することと
を備える、方法。
【請求項１０】
前記イベントの前記発生が完了したことを検出することと、
前記イベントの前記発生が完了したことを示す情報、または前記修正された動作状態から前記標準の動作状態に戻るよう前記第２のデバイスに促す情報のうちの少なくとも１つを含む第３のメッセージを生成することと、
前記第３のメッセージを前記第２のデバイスに送信することと
をさらに備える、請求項９に記載の方法。
【請求項１１】
前記第１のメッセージは、周期的基準で受信される、請求項９に記載の方法。
【請求項１２】
前記イベントの前記発生は、
前記第１のデバイスに関連付けられる１つまたは複数の機能が前記第１のデバイス上において今現在アクティブであるというインジケーション、
前記第１のデバイスによる呼の受信、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、またはそれらの任意の組み合わせのうちの少なくとも１つを備える、請求項９に記載の方法。
【請求項１３】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、請求項９に記載の方法。
【請求項１４】
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、請求項９に記載の方法。
【請求項１５】
通信のための装置であって、
第１のデバイスが、第２のデバイスから第１のメッセージを受信するための手段と、ここにおいて、前記第１のメッセージは、前記第２のデバイスに関連付けられるイベントの発生を示す情報、または前記イベントの前記発生に基づいて１つまたは複数の機能を修正するよう前記第１のデバイスに促す情報のうちの少なくとも１つを含み、前記第１のデバイスおよび前記第２のデバイスは、ピアネットワークに関連付けられる、
前記１つまたは複数の機能のうちの少なくとも１つを標準の動作状態から修正された動作状態に変更するための手段と
を備える、装置。
【請求項１６】
前記受信するための手段は、前記第２のデバイスから第２のメッセージを受信するようさらに構成され、前記第２のメッセージは、前記イベントの前記発生が完了したことを示す情報を含み、
前記変更するための手段は、前記１つまたは複数の機能のうちの前記少なくとも１つを前記修正された動作状態から前記標準の動作状態に戻すように変更するようさらに構成される、請求項１５に記載の装置。
【請求項１７】
前記第２のデバイスが前記ピアネットワークに関連付けられることを検出するための手段と、
前記１つまたは複数の機能のうちのどれが前記第１のデバイス上において現在アクティブなのかを示す第３のメッセージを送信するための手段と
をさらに備える、請求項１５に記載の装置。
【請求項１８】
前記第３のメッセージは、周期的基準で送信される、請求項１７に記載の装置。
【請求項１９】
前記イベントの前記発生は、
前記第２のデバイスに関連付けられる１つまたは複数の機能が前記第２のデバイス上において今現在アクティブであるというインジケーション、
前記第２のデバイスによる呼の受信、
前記第２のデバイスによる通知の受信、
前記第２のデバイスによる帯域幅集中的アクティビティの受信、
前記第２のデバイスによる前記呼の開始、
前記第２のデバイスによる前記通知の開始、
前記第２のデバイスによる前記帯域幅集中的アクティビティの開始、またはそれらの任意の組み合わせのうちの少なくとも１つを備える、請求項１５に記載の装置。
【請求項２０】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、請求項１５に記載の装置。
【請求項２１】
前記変更するための手段は、
前記第１のデバイス上において現在アクティブなアプリケーションの動作を中止すること、
前記ピアネットワーク上において帯域幅使用を修正すること、
前記第１のデバイス上においてユーザインタフェースをオフにすること、または、
前記第１のデバイス上においてコンテンツの提示を一時停止することのうちの少なくとも１つを遂行するようさらに構成される、請求項１５に記載の装置。
【請求項２２】
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、請求項１５に記載の装置。
【請求項２３】
通信のための装置であって、
第１のデバイスが、第２のデバイスから第１のメッセージを受信するための手段と、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記第１のデバイスに関連付けられるイベントの発生を検出するための手段と、
前記１つまたは複数の機能のうちの少なくとも１つの動作状態が前記イベントの前記発生に基づいて修正されるべきであることを、前記第１のメッセージに基づいて、決定するための手段と、
前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成するための手段と、
前記第２のメッセージを前記第２のデバイスに送信するための手段と
を備える、装置。
【請求項２４】
前記検出するための手段は、前記イベントの前記発生が完了したことを検出するようさらに構成され、
前記生成するための手段は、前記イベントの前記発生が完了したことを示す情報、または前記修正された動作状態から前記標準の動作状態に戻るよう前記第２のデバイスに促す情報のうちの少なくとも１つを含む第３のメッセージを生成するようさらに構成され、
前記送信するための手段は、前記第３のメッセージを前記第２のデバイスに送信するようさらに構成される、請求項２３に記載の装置。
【請求項２５】
前記第１のメッセージは、周期的基準で受信される、請求項２３に記載の装置。
【請求項２６】
前記イベントの前記発生は、
前記第１のデバイスによる呼の受信、
前記第１のデバイスに関連付けられる１つまたは複数の機能が前記第１のデバイス上において今現在アクティブであるというインジケーション、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、またはそれらの任意の組み合わせのうちの少なくとも１つを備える、請求項２３に記載の装置。
【請求項２７】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、請求項２３に記載の装置。
【請求項２８】
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、請求項２３に記載の装置。
【請求項２９】
コンピュータプログラム製品であって、
コンピュータ可読媒体を備え、前記コンピュータ可読媒体は、
コンピュータに、第１のデバイスが、第２のデバイスから第１のメッセージを受信することをさせるための少なくとも１つの命令と、ここにおいて、前記第１のメッセージは、前記第２のデバイスに関連付けられるイベントの発生を示す情報、または前記イベントの前記発生に基づいて１つまたは複数の機能を修正するよう前記第１のデバイスに促す情報のうちの少なくとも１つを含み、前記第１のデバイスおよび前記第２のデバイスは、ピアネットワークに関連付けられる、
前記コンピュータに、前記１つまたは複数の機能のうちの少なくとも１つを標準の動作状態から修正された動作状態に変更させるための少なくとも１つの命令と
を備える、コンピュータプログラム製品。
【請求項３０】
前記コンピュータ可読媒体は、
前記コンピュータに、前記第２のデバイスから第２のメッセージを受信させるための少なくとも１つの命令と、ここにおいて、前記第２のメッセージは、前記イベントの前記発生が完了したことを示す情報を含む、
前記コンピュータに、前記１つまたは複数の機能のうちの前記少なくとも１つを前記修正された動作状態から前記標準の動作状態に戻すように変更させるための少なくとも１つの命令と
をさらに備える、請求項２９に記載のコンピュータプログラム製品。
【請求項３１】
前記コンピュータ可読媒体は、
前記コンピュータに、前記第２のデバイスが前記ピアネットワークに関連付けられることを検出させるための少なくとも１つの命令と、
前記コンピュータに、前記１つまたは複数の機能のうちのどれが前記第１のデバイス上において現在アクティブなのかを示す第３のメッセージを送信させるための少なくとも１つの命令と
をさらに備える、請求項２９に記載のコンピュータプログラム製品。
【請求項３２】
前記第３のメッセージは、周期的基準で送信される、請求項３１に記載のコンピュータプログラム製品。
【請求項３３】
前記イベントの前記発生は、
前記第２のデバイスに関連付けられる１つまたは複数の機能が前記第２のデバイス上において今現在アクティブであるというインジケーション、
前記第２のデバイスによる呼の受信、
前記第２のデバイスによる通知の受信、
前記第２のデバイスによる帯域幅集中的アクティビティの受信、
前記第２のデバイスによる前記呼の開始、
前記第２のデバイスによる前記通知の開始、
前記第２のデバイスによる前記帯域幅集中的アクティビティの開始、またはそれらの任意の組み合わせのうちの少なくとも１つを備える、請求項２９に記載のコンピュータプログラム製品。
【請求項３４】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、請求項２９に記載のコンピュータプログラム製品。
【請求項３５】
前記コンピュータ可読媒体は、前記コンピュータに、
前記第１のデバイス上において現在アクティブなアプリケーションの動作を中止すること、
前記ピアネットワーク上において帯域幅使用を修正すること、
前記第１のデバイス上においてユーザインタフェースをオフにすること、または、
前記第１のデバイス上においてコンテンツの提示を一時停止することのうちの少なくとも１つを遂行させるための少なくとも１つの命令をさらに備える、請求項２９に記載のコンピュータプログラム製品。
【請求項３６】
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、請求項２９に記載のコンピュータプログラム製品。
【請求項３７】
コンピュータプログラム製品であって、
コンピュータ可読媒体を備え、前記コンピュータ可読媒体は、
コンピュータに、第１のデバイスが、第２のデバイスから第１のメッセージを受信することをさせるための少なくとも１つの命令と、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記コンピュータに、前記第１のデバイスに関連付けられるイベントの発生を検出させるための少なくとも１つの命令と、
前記コンピュータに、前記１つまたは複数の機能のうちの少なくとも１つの動作状態が前記イベントの前記発生に基づいて修正されるべきであることを、前記第１のメッセージに基づいて、決定させるための少なくとも１つの命令と、
前記コンピュータに、前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成させるための少なくとも１つの命令と、
前記コンピュータに、前記第２のメッセージを前記第２のデバイスに送信させるための少なくとも１つの命令と
を備える、コンピュータプログラム製品。
【請求項３８】
前記コンピュータ可読媒体は、
前記コンピュータに、前記イベントの前記発生が完了したことを検出させるための少なくとも１つの命令と、
前記コンピュータに、前記イベントの前記発生が完了したことを示す情報、または前記修正された動作状態から前記標準の動作状態に戻るよう前記第２のデバイスに促す情報のうちの少なくとも１つを含む第３のメッセージを生成させるための少なくとも１つの命令と、
前記コンピュータに、前記第３のメッセージを前記第２のデバイスに送信させるための少なくとも１つの命令と
をさらに備える、請求項３７に記載のコンピュータプログラム製品。
【請求項３９】
前記第１のメッセージは、周期的基準で受信される、請求項３７に記載のコンピュータプログラム製品。
【請求項４０】
前記イベントの前記発生は、
前記第１のデバイスに関連付けられる１つまたは複数の機能が前記第１のデバイス上において今現在アクティブであるというインジケーション、
前記第１のデバイスによる呼の受信、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、またはそれらの任意の組み合わせのうちの少なくとも１つを備える、請求項３７に記載のコンピュータプログラム製品。
【請求項４１】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、請求項３７に記載のコンピュータプログラム製品。
【請求項４２】
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、請求項３７に記載のコンピュータプログラム製品。
【請求項４３】
通信のための装置であって、
処理システムを備え、前記処理システムは、
第１のデバイスが、第２のデバイスから第１のメッセージを受信することと、ここにおいて、前記第１のメッセージは、前記第２のデバイスに関連付けられるイベントの発生を示す情報、または前記イベントの前記発生に基づいて１つまたは複数の機能を修正するよう前記第１のデバイスに促す情報のうちの少なくとも１つを含み、前記第１のデバイスおよび前記第２のデバイスは、ピアネットワークに関連付けられる、
前記１つまたは複数の機能のうちの少なくとも１つを標準の動作状態から修正された動作状態に変更することと
を行うよう構成される、装置。
【請求項４４】
前記処理システムは、
前記第２のデバイスから第２のメッセージを受信することと、ここにおいて、前記第２のメッセージは、前記イベントの前記発生が完了したことを示す情報を含む、
前記１つまたは複数の機能のうちの前記少なくとも１つを前記修正された動作状態から前記標準の動作状態に戻すように変更することと
を行うようさらに構成される、請求項４３に記載の装置。
【請求項４５】
前記処理システムは、
前記第２のデバイスが前記ピアネットワークに関連付けられることを検出することと、
前記１つまたは複数の機能のうちのどれが前記第１のデバイス上において現在アクティブなのかを示す第３のメッセージを送信することと
を行うようさらに構成される、請求項４３に記載の装置。
【請求項４６】
前記第３のメッセージは、周期的基準で送信される、請求項４５に記載の装置。
【請求項４７】
前記イベントの前記発生は、
前記第２のデバイスに関連付けられる１つまたは複数の機能が前記第２のデバイス上において今現在アクティブであるというインジケーション、
前記第２のデバイスによる呼の受信、
前記第２のデバイスによる通知の受信、
前記第２のデバイスによる帯域幅集中的アクティビティの受信、
前記第２のデバイスによる前記呼の開始、
前記第２のデバイスによる前記通知の開始、
前記第２のデバイスによる前記帯域幅集中的アクティビティの開始、またはそれらの任意の組み合わせのうちの少なくとも１つを備える、請求項４３に記載の装置。
【請求項４８】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、請求項４３に記載の装置。
【請求項４９】
前記処理システムは、
前記第１のデバイス上において現在アクティブなアプリケーションの動作を中止すること、
前記ピアネットワーク上において帯域幅使用を修正すること、
前記第１のデバイス上においてユーザインタフェースをオフにすること、または、
前記第１のデバイス上においてコンテンツの提示を一時停止することのうちの少なくとも１つを遂行するようさらに構成される、請求項４３に記載の装置。
【請求項５０】
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、請求項４３に記載の装置。
【請求項５１】
通信のための装置であって、
処理システムを備え、前記処理システムは、
第１のデバイスが、第２のデバイスから第１のメッセージを受信することと、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記第１のデバイスに関連付けられるイベントの発生を検出することと、
前記１つまたは複数の機能のうちの少なくとも１つの動作状態が前記イベントの前記発生に基づいて修正されるべきであることを、前記第１のメッセージに基づいて、決定することと、
前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成することと、
前記第２のメッセージを前記第２のデバイスに送信することと
を行うよう構成される、装置。
【請求項５２】
前記処理システムは、
前記イベントの前記発生が完了したことを検出することと、
前記イベントの前記発生が完了したことを示す情報、または前記修正された動作状態から前記標準の動作状態に戻るよう前記第２のデバイスに促す情報のうちの少なくとも１つを含む第３のメッセージを生成することと、
前記第３のメッセージを前記第２のデバイスに送信することと
を行うようさらに構成される、請求項５１に記載の装置。
【請求項５３】
前記第１のメッセージは、周期的基準で受信される、請求項５１に記載の装置。
【請求項５４】
前記イベントの前記発生は、
前記第１のデバイスによる呼の受信、
前記第１のデバイスに関連付けられる１つまたは複数の機能が前記第１のデバイス上において今現在アクティブであるというインジケーション、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、またはそれらの任意の組み合わせのうちの少なくとも１つを備える、請求項５１に記載の装置。
【請求項５５】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、請求項５１に記載の装置。
【請求項５６】
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、請求項５１に記載の装置。
【発明の詳細な説明】
【背景技術】
【０００１】
[0001]本願は一般的に、デバイス通信に関し、より具体的には、ピアツーピアネットワーク上のデバイス（例えば、端末、クライアント、等）間において協調的な相互作用を可能にすることを通して改善されたユーザエクスペリエンスを提供するための方法およびシステムに関する。
【０００２】
[0002]通信システムは、音声、データ、等、のような様々なタイプのコンテンツを提供するよう広く展開されている。これらのシステムは、利用可能なシステムリソース（例えば、帯域幅および送信電力）を共有することによって多数のユーザとの通信をサポートすることが可能な多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ（登録商標））システム、時分割同期符号分割多元接続（ＴＤ−ＳＣＤＭＡ）システムおよび直交周波数分割多元接続（ＯＦＤＭＡ）システムを含む。さらに、これらのシステムは、同軸ケーブル、光ファイバケーブル、ツイストペア、デジタル加入者回線（ＤＳＬ）、等を使用するワイヤラインベースでありうる。
【０００３】
[0003]一般的に、ユーザは、多数のデバイス（例えば、スマートフォン、タブレット、ハンドヘルドゲーミングデバイス、等）の近接内に存在しうる、および／または関連付けられうる。現在、デバイス内におけるアプリケーションは、協調しうる。例えば、ユーザがデバイス上において映像を見ている際に呼が到来する場合、映像は、一時停止されえ、ユーザは、到来する呼を取ることができる。対照的に、そのような協調は、例えば、タブレットおよびスマートフォンがピアツーピアネットワーク内において接続される場合、接続されたデバイス間において現在は存在しない。そのため、ユーザが第２のデバイス上において映像を見ている間に第１のデバイス上において電話の呼を受信する場合、ユーザは、第１のデバイス上において呼を取る前に第２のデバイス上において映像コンテンツを明示的に／手動で一時停止または停止する必要がある。別の例において、（例えば、ＷｉＦｉ（登録商標）ルータおよびＭｉＦｉデバイスを使用して）接続性が共有されるネットワーク上において異なるデバイスが使用されている場合、第２のデバイス上におけるストリーミング映像の再生は、第１のデバイス上におけるボイスオーバＩＰ（ＶｏＩＰ）呼の品質を低減しうる。反対に、ＶｏＩＰデータが映像データよりも高い優先度を与えられる場合、ストリーミング映像再生に関連付けられたユーザエクスペリエンスは、減少しうる。
【０００４】
[0004]したがって、ピアツーピアネットワーク上のデバイス間において協調的な相互作用を可能にすることを通して改善されたユーザエクスペリエンスを提供するシステムおよび方法が望まれる。
【発明の概要】
【０００５】
[0005]下記においては、１つまたは複数の態様の基本的な理解を提供するために、そのような態様の簡略化された概要を提示する。この概要は、全ての考慮された態様の広範な概観ではなく、全ての態様の鍵となる要素または重要な要素を識別することも、任意の態様または全ての態様の範囲を叙述することも意図されない。その唯一の目的は、後に提示されるより詳細な記述への前置きとして、簡略化された形態で１つまたは複数の態様のいくつかの概念を提示することである。
【０００６】
[0006]関連する態様によると、デバイス間において協調的な相互作用を可能にすることを通して改善されたユーザエクスペリエンスを提供するための方法が提供される。方法は、第１のデバイスが、第２のデバイスから第１のメッセージを受信することを含むことができる。一態様において、第１のメッセージは、第２のデバイスに関連付けられるイベントの発生を示す情報、またはイベントの発生に基づいて１つまたは複数の機能を修正するよう第１のデバイスに促す情報のうちの少なくとも１つを含みうる。別の態様において、第１のデバイスおよび第２のデバイスは、ピアネットワークに関連付けられうる。その上、方法は、１つまたは複数の機能のうちの少なくとも１つを標準の動作状態から修正された動作状態に変更することを含みうる。
【０００７】
[0007]別の態様は、デバイス間において協調的な相互作用を可能にすることを通して改善されたユーザエクスペリエンスを提供するよう構成される通信装置に関する。通信装置は、第１のデバイスが、第２のデバイスから第１のメッセージを受信するための手段を含むことができる。一態様において、第１のメッセージは、第２のデバイスに関連付けられるイベントの発生を示す情報、またはイベントの発生に基づいて１つまたは複数の機能を修正するよう第１のデバイスに促す情報のうちの少なくとも１つを含みうる。別の態様において、第１のデバイスおよび第２のデバイスは、ピアネットワークに関連付けられうる。その上、通信装置は、１つまたは複数の機能のうちの少なくとも１つを標準の動作状態から修正された動作状態に変更するための手段を含むことができる。
【０００８】
[0008]別の態様は、通信装置に関する。装置は、第１のデバイスが、第２のデバイスから第１のメッセージを受信するよう構成される処理システムを含むことができる。一態様において、第１のメッセージは、第２のデバイスに関連付けられるイベントの発生を示す情報、またはイベントの発生に基づいて１つまたは複数の機能を修正するよう第１のデバイスに促す情報のうちの少なくとも１つを含みうる。別の態様において、第１のデバイスおよび第２のデバイスは、ピアネットワークに関連付けられうる。その上、処理システムは、１つまたは複数の機能のうちの少なくとも１つを標準の動作状態から修正された動作状態に変更するようさらに構成されうる。
【０００９】
[0009]また、別の態様は、コンピュータプログラム製品に関し、それは、コンピュータに、第１のデバイスが、第２のデバイスから第１のメッセージを受信することをさせるための少なくとも１つの命令を含むコンピュータ可読媒体を有することができる。一態様において、第１のメッセージは、第２のデバイスに関連付けられるイベントの発生を示す情報、またはイベントの発生に基づいて１つまたは複数の機能を修正するよう第１のデバイスに促す情報のうちの少なくとも１つを含みうる。別の態様において、第１のデバイスおよび第２のデバイスは、ピアネットワークに関連付けられうる。その上、コンピュータ可読媒体は、コンピュータに、１つまたは複数の機能のうちの少なくとも１つを標準の動作状態から修正された動作状態に変更させるための少なくとも１つの命令を含むことができる。
【００１０】
[0010]関連する態様によると、デバイス間において協調的な相互作用を可能にすることを通して改善されたユーザエクスペリエンスを提供するための方法が提供される。方法は、第１のデバイスが、第２のデバイスから第１のメッセージを受信することを含むことができる。一態様において、第１のメッセージは、第２のデバイス上においてアクティブな１つまたは複数の機能を示す情報を含みうる。別の態様において、第１のデバイスおよび第２のデバイスは、ピアネットワークに関連付けられる。さらに、方法は、第１のデバイスに関連付けられるイベントの発生を検出することを含みうる。さらに、方法は、１つまたは複数の機能のうちの少なくとも１つの動作状態がイベントの発生に基づいて修正されるべきであることを、第１のメッセージに基づいて、決定することを含みうる。さらに、方法は、第１のデバイスに関連付けられるイベントの発生を示す情報、またはイベントの発生に基づいて１つまたは複数の機能のうちの少なくとも１つを標準の動作状態から修正された動作状態に変更するよう第２のデバイスに促す情報のうちの少なくとも１つを含む第２のメッセージを生成することを含みうる。その上、方法は、第２のメッセージを第２のデバイスに送信することを含みうる。
【００１１】
[0011]別の態様は、デバイス間において協調的な相互作用を可能にすることを通して改善されたユーザエクスペリエンスを提供するよう構成される通信装置に関する。通信装置は、第１のデバイスが、第２のデバイスから第１のメッセージを受信するための手段を含むことができる。一態様において、第１のメッセージは、第２のデバイス上においてアクティブな１つまたは複数の機能を示す情報を含みうる。別の態様において、第１のデバイスおよび第２のデバイスは、ピアネットワークに関連付けられる。さらに、通信装置は、第１のデバイスに関連付けられるイベントの発生を検出するための手段を含むことができる。さらに、通信装置は、１つまたは複数の機能のうちの少なくとも１つの動作状態がイベントの発生に基づいて修正されるべきであることを、第１のメッセージに基づいて、決定するための手段を含むことができる。さらに、通信装置は、第１のデバイスに関連付けられるイベントの発生を示す情報、またはイベントの発生に基づいて１つまたは複数の機能のうちの少なくとも１つを標準の動作状態から修正された動作状態に変更するよう第２のデバイスに促す情報のうちの少なくとも１つを含む第２のメッセージを生成するための手段を含むことができる。その上、通信装置は、第２のメッセージを第２のデバイスに送信するための手段を含むことができる。
【００１２】
[0012]別の態様は、通信装置に関する。装置は、第１のデバイスが、第２のデバイスから第１のメッセージを受信するよう構成される処理システムを含むことができる。一態様において、第１のメッセージは、第２のデバイス上においてアクティブな１つまたは複数の機能を示す情報を含みうる。別の態様において、第１のデバイスおよび第２のデバイスは、ピアネットワークに関連付けられる。さらに、処理システムは、第１のデバイスに関連付けられるイベントの発生を検出するようさらに構成されうる。さらに、処理システムは、１つまたは複数の機能のうちの少なくとも１つの動作状態がイベントの発生に基づいて修正されるべきであることを、第１のメッセージに基づいて、決定するようさらに構成されうる。さらに、処理システムは、第１のデバイスに関連付けられるイベントの発生を示す情報、またはイベントの発生に基づいて１つまたは複数の機能のうちの少なくとも１つを標準の動作状態から修正された動作状態に変更するよう第２のデバイスに促す情報のうちの少なくとも１つを含む第２のメッセージを生成するようさらに構成されうる。その上、処理システムは、第２のメッセージを第２のデバイスに送信するようさらに構成されうる。
【００１３】
[0013]また、別の態様はコンピュータプログラム製品に関し、それは、コンピュータに、第１のデバイスが、第２のデバイスから第１のメッセージを受信することをさせるための少なくとも１つの命令を含むコンピュータ可読媒体を有することができる。一態様において、第１のメッセージは、第２のデバイス上においてアクティブな１つまたは複数の機能を示す情報を含みうる。別の態様において、第１のデバイスおよび第２のデバイスは、ピアネットワークに関連付けられる。さらに、コンピュータ可読媒体は、コンピュータに、第１のデバイスに関連付けられるイベントの発生を検出させるための少なくとも１つの命令を含むことができる。さらに、コンピュータ可読媒体は、コンピュータに、１つまたは複数の機能のうちの少なくとも１つの動作状態がイベントの発生に基づいて修正されるべきであることを、第１のメッセージに基づいて、決定させるための少なくとも１つの命令を含むことができる。さらに、コンピュータ可読媒体は、コンピュータに、第１のデバイスに関連付けられるイベントの発生を示す情報、またはイベントの発生に基づいて１つまたは複数の機能のうちの少なくとも１つを標準の動作状態から修正された動作状態に変更するよう第２のデバイスに促す情報のうちの少なくとも１つを含む第２のメッセージを生成させるための少なくとも１つの命令を含むことができる。その上、コンピュータ可読媒体は、コンピュータに、第２のメッセージを第２のデバイスに送信させるための少なくとも１つの命令を含むことができる。
【００１４】
[0014]上述した目的および関連する目的の達成のために、１つまたは複数の態様は、本明細書において後に十分に記述され、特許請求の範囲内において特に指摘される特徴を備える。次の記述および付属の図面は、１つまたは複数の態様のある特定の例示的な特徴を詳細に記載する。これらの特徴は、しかしながら、様々な態様の原理が用いられうる様々な手法のほんの一部を示すものであり、この記述は、全てのそのような態様およびそれらの同等物を含むよう意図される。
【００１５】
[0015]開示される態様は、開示される態様を限定するのではなく例示するよう提供される、添付図面と併せて本明細書の以下において記述され、同様の表記は同様の要素を示す。
【図面の簡単な説明】
【００１６】
【図１】一態様による、多数のデバイスが協調的に相互作用しうる通信システムのブロック図を図示する。
【図２】一態様による、多数のデバイスが協調的に相互作用しうる通信システム内における通信を概念的に例示する呼のフロー図を図示する。
【図３】一態様による、多数のデバイスが協調的に相互作用しうる実例的なシステムを記述するフローチャートを図示する。
【図４】一態様による、多数のデバイスが協調的に相互作用しうる別の実例的なシステムを記述するフローチャートを図示する。
【図５】一態様による、多数のデバイスが協調的に相互作用することを可能にすることを使用することを通して向上されたユーザエクスペリエンスを提供するための実例的な通信デバイスのブロック図を図示する。
【図６】一態様による、多数のデバイスが協調的に相互作用することを可能にする実例的な通信システムのブロック図を図示する。
【図７】一態様による、多数のデバイスが協調的に相互作用することを可能にする別の実例的な通信システムのブロック図を図示する。
【発明を実施するための形態】
【００１７】
[0023]様々な態様が、これから図面を参照して記述される。次の記述において、説明の目的のために、１つまたは複数の態様の完全な理解を提供するために数多くの具体的な詳細が記載される。しかしながら、そのような態様がこれらの具体的な詳細なしに実施されうることは明白でありうる。
【００１８】
[0024]本明細書において開示される「ユーザ」は、デバイスと相互作用する、デバイスに情報を寄与する、および／またはデバイスから情報を取得する任意のエンティティを含むよう広く解釈されうる。
【００１９】
[0025]本明細書において開示される「機能」は、ユーザがデバイスと相互作用しうるデバイスに関連付けられる任意の特徴を含みうる。機能の例は、デバイスに関連付けられるアプリケーション、デバイスに関連付けられるセンサ、デバイスに関連付けられるハードウェア、等、またはそれらの任意の組み合わせを含むが、それらに限定されるわけではない。
【００２０】
[0026]本明細書において開示される「イベント」は、デバイス上における機能の動作モードを変更しうる任意のアクティビティを含みうる。イベントの例は、接続されたデバイスに関連付けられる１つまたは複数の機能が接続されたデバイス上において今現在アクティブであるというインジケーション、呼の受信、通知の受信、要求の受信、帯域幅集中的アクティビティ（bandwidth intensive activity）の受信、呼の開始、通知の開始、帯域幅集中的アクティビティの開始、要求の開始、等、を含むが、それらに限定されるわけではない。
【００２１】
[0027]１つまたは複数の態様によると、協調的に相互作用するよう構成される多数のデバイスを含む通信環境が提供されうる。デバイスは、ピアデバイスに関連付けられるイベントが発生したことを示す通信環境内におけるピアデバイスからメッセージを受信しうる。さらに、メッセージの受信に基づいて、デバイスは、機能のうちの少なくとも１つを標準の動作状態から修正された動作状態に変更しうる。同様に、デバイスは、ピアデバイス上においてアクティブな様々な機能を示すメッセージを受信しうる。デバイスがイベントの発生を検出する場合、ピアデバイスに関連付けられる様々な機能のうちのいずれかが影響されうるかどうかを決定しうる。機能のうちのいずれかが影響される場合、デバイスは、影響された機能に関連付けられるピアデバイスのためにメッセージを生成し、メッセージをピアデバイスに送信しうる。
【００２２】
[0028]図１は、実例的なピアツーピア通信システム１００の図である。通信システム１００は、複数のワイヤレスデバイス１０６、１０８、１１０、１１２を含む。通信システム１００は、例えば、ワイヤレス広域ネットワーク（ＷＷＡＮ）のような、セルラ通信システム１０２、および、例えば、ワイヤレスローカルエリアネットワーク（ＷＬＡＮ）のような、ピアツーピア通信システム１１４を含みうる。一態様において、セルラ通信システム１０２は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、時分割同期符号分割多元接続（ＴＤ−ＳＣＤＭＡ）システム、直交周波数分割多元接続（ＯＦＤＭＡ）システム、移動体通信のためのグローバルシステム（ＧＳＭ（登録商標））システム、ユニバーサル地上無線アクセス（ＵＴＲＡ）システム、発展型ＵＴＲＡ（Ｅ−ＵＴＲＡ）システム、等、に限定されるものではないが、そのような様々なシステムを使用するよう構成されうる。ワイヤレスデバイス１０６、１０８、１１０、１１２のうちのいくつかは、ピアツーピア通信内において互いに通信し、いくつかは基地局１０４と通信し、いくつかは両方を行いうる。例えば、図１内において提示されるように、ワイヤレスデバイス１０６、１０８、１１０、１１２は、ピアツーピア通信中である。一態様において、ピアツーピア通信は、ワイヤレスデバイス１０６、１０８、１１０、１１２間における直接通信を通して遂行されうる。一態様において、ピアツーピア通信は、ＷＬＡＮエンティティ１１６（例えば、ＷｉＦｉ（登録商標）ルータ）を通して容易にされうる。別の態様において、ワイヤレスデバイス１０６、１０８、１１０、１１２は、同軸ケーブル、光ファイバケーブル、ツイストペア、デジタル加入者回線（ＤＳＬ）、等、に基づくシステムのようなワイヤード通信を使用して通信するよう動作可能でありうる。ワイヤレスデバイス１０６はまた、基地局１０４と通信しうる。
【００２３】
[0029]さらに、ワイヤレスデバイス（例えば、１０６、１１０）は、イベントの発生が検出される場合に協調的に相互作用することを多数のデバイスに許可するよう構成されうる提示修正モジュール１２０（例えば、１２０（ａ）、１２０（ｂ））を含みうる。一態様において、ワイヤレスデバイス１０６および提示修正モジュール１２０（ａ）は、イベント発生検出モジュール１２２およびピアデバイス通知モジュール１２４を含みうる。別の態様において、ワイヤレスデバイス１１０および提示修正モジュール１２０（ｂ）は、ピアデバイス通知受信モジュール１２６および動作状態修正モジュール１２８を含みうる。図１は、異なる提示修正モジュール１２０（例えば、１２０（ａ）、１２０（ｂ））内において存在する様々なモジュール（１２２、１２４、１２６、１２８）を図示するが、当業者は、モジュール（１２２、１２４、１２６、１２８）のうちの各いずれかの組み合わせが提示修正モジュール１２０内に含まれ、ワイヤレスデバイス１０６、１０８、１１０、１１２のうちのいずれかに関連付けられうることを認識するだろう。イベント発生検出モジュール１２２は、ワイヤレスデバイス１０６に関連付けられるイベント発生を検出するよう構成されうる。一態様において、イベントの発生は、機能、呼、通知、要求、帯域幅集中的アクティビティ、等、またはそれらの任意の組み合わせの受信および／または開始を含みうる。例えば、ワイヤレスデバイス１０６は、基地局１０４を通して呼を受信しうる。別の態様において、ワイヤレスデバイス１０６は、ＷＬＡＮエンティティ１１６を通して利用可能な帯域幅の大部分を使用するコンテンツをダウンロードするよう試みうる。ピアデバイス通知モジュール１２４は、任意の他のデバイス（例えば、１０８、１１０、１１２）および／または他のデバイスのうちのいずれか（例えば、１０８、１１０、１１２）上においてアクティブな機能がワイヤレスデバイス１０６に関連付けられるイベントの発生によって影響されうるかどうかを決定するよう構成されうる。さらに、ピアデバイス通知モジュール１２４は、イベント発生に基づくメッセージを任意の潜在的に影響されるワイヤレスデバイス（例えば、１０８、１１０、１１２）に通信しうる。ピアデバイス通知受信モジュール１２６は、別のデバイス（例えば、１０６）に関連付けられるイベントの発生および／または完了を示すメッセージを受信するよう構成されうる。動作状態修正モジュール１２８は、イベント発生および／または完了を示すメッセージの受信に基づいてワイヤレスデバイス１１０に関連付けられる１つまたは複数の機能の提示、使用、表示、等、を修正するよう構成されうる。一態様において、動作状態修正モジュール１２８は、イベントが発生したおよび／またはイベント発生が完了したかどうかに少なくとも部分的に基づいて修正された動作モードおよび標準の動作モード間を切り替えるよう構成されうる。
【００２４】
[0030]一動作態様において、ユーザおよび／またはユーザのグループは、ピアツーピア通信システム１１４（例えば、ＡｌｌＪｏｙｎベースのメッセージを使用するよう構成されるピアネットワーク）を使用して多数のデバイス（例えば、１０６、１０８、１１０、１１２）を接続しうる。接続の後、デバイスは周期的に、ピアツーピア通信システム１１４内における他のデバイス上においてどの機能がアクティブなのかを示す情報をリッスンする。一態様において、ワイヤレスデバイス１１０は、その現在実行中の機能（例えば、アプリケーション、コンポーネント、等）についてのメッセージをワイヤレスデバイス１０６に送信しうる。例えば、ユーザがワイヤレスデバイス１１０上において映像をストリーミングすることを開始する場合、ワイヤレスデバイス１１０は、メッセージをワイヤレスデバイス１０６に送信しうる。到来する呼がワイヤレスデバイス１０６によって検出される場合、ワイヤレスデバイス１０６は、メッセージをワイヤレスデバイス１１０に送信しうる。別の態様において、イベントは、到来するＳＭＳ、通知、等でありうる。一態様においてメッセージは、ワイヤレスデバイス１１０にワイヤレスデバイス１１０上においてコンテンツの再生を一時停止するよう促しうる。メッセージを受信すると、ワイヤレスデバイス１１０は、映像再生を一時停止しうる。呼の終了時に、ワイヤレスデバイス１０６は、ワイヤレスデバイス１１０に映像再生を再開するよう促すメッセージを送信し、メッセージを受信すると、ワイヤレスデバイス１１０は、映像を再開しうる。一態様において、映像の一時停止中に、ワイヤレスデバイス１１０はさらに、ディスプレイをオフにおよび／または減光しうる。例えば、ワイヤレスデバイス１１０がタブレット、電子リーダ、等、であり、ワイヤレスデバイス１０６の電話の呼が到来する場合、ワイヤレスデバイス１０６によって送信されるメッセージはまた、ユーザがワイヤレスデバイス１０６上において電話の呼を取る間にワイヤレスデバイス１１０上において電力を節約するために、タブレット／電子リーダにバックライトまたはディスプレイ画面をオフに切り替えるよう促しうる。
【００２５】
[0031]別の動作態様において、改善されたユーザエクスペリエンスは、ワイヤレスデバイス（１０６、１０８、１１０、１１２）が共通インターネットバックエンド（例えば、ＷＬＡＮエンティティ１１６）を用いて低帯域幅条件下において動作中である場合に達成されうる。例えば、２つのデバイスが別のデバイスおよび／またはＷＬＡＮエンティティ１１６によって作成されたＷｉＦｉ（登録商標）ホットスポットを使用中である場合である。１つのデバイス（例えば、１０６）は、ストリーミング映像を提供中であり、第２のデバイス（例えば、１１０）は、ロケーション検索を遂行中、緊急電子メールを送信中、等、でありうる。一態様において、ワイヤレスデバイス１１０は、ワイヤレスデバイス１０６に映像再生を一時停止するよう促すためにワイヤレスデバイス１０６にメッセージを送信しうる。さらに、ワイヤレスデバイス１１０は、ロケーション要求または電子メールメッセージの送信が完了すると映像再生を再開するようワイヤレスデバイス１０６に促すメッセージをワイヤレスデバイス１０６に送信しうる。
【００２６】
[0032]別の動作態様おいて、ワイヤレスデバイス１１０上においてアクティブな音声拡張ＧＰＳアプリケーションは、到来する呼を示すワイヤレスデバイス１０６からのメッセージを受信するとミュートされうる。アプリケーションの標準の動作は、呼が完了すると再開しうる。
【００２７】
[0033]別の動作態様において、ユーザおよび／またはユーザのグループは、ピアツーピア通信システム１１４（例えば、ＡｌｌＪｏｙｎベースのメッセージを使用するよう構成されるピアネットワーク）を使用して多数のデバイス（例えば、１０６、１０８、１１０、１１２）を接続しうる。接続の後、デバイスは周期的に、ピアツーピア通信システム１１４内における他のデバイス上においてどの機能がアクティブなのかを示す情報をリッスンする。一態様において、ワイヤレスデバイス１１０は、その現在実行中の機能（例えば、アプリケーション、コンポーネント、等）についてのメッセージをワイヤレスデバイス１０６に送信しうる。例えば、ユーザがワイヤレスデバイス１１０上において映像をストリーミングすることを開始する場合、ワイヤレスデバイス１１０は、メッセージをワイヤレスデバイス１０６に送信しうる。その後において、例えば、ユーザがワイヤレスデバイス１０６を使用することを開始する場合、ワイヤレスデバイス１０６は、それは今機能（例えば、アプリケーション、コンポーネント、等）をアクティブに実行中であることを示すメッセージをワイヤレスデバイス１１０に送信しうる。ワイヤレスデバイス１０６からのメッセージに応答して、ワイヤレスデバイス１１０は、任意の現在実行中の機能を一時停止しうる。オプションの一態様において、ユーザがワイヤレスデバイス１０６との相互作用を中止する場合、ワイヤレスデバイス１０６は、機能がもはやアクティブでないことを示す別のメッセージを送信しうる。そのようなメッセージは、ワイヤレスデバイス１１０に、一時停止された機能の実行を再開するよう促しうる。
【００２８】
[0034]そのため、ユーザは、イベントがワイヤレスデバイス１０６上において発生する場合にワイヤレスデバイス１１０上におけるコンテンツの再生を明示的に一時停止または終了する必要はない。さらに、ワイヤレスデバイス１１０上においてオーディオ再生が大きいおよび／またはユーザがヘッドセットを使用中である場合、メッセージの受信に基づいて再生を自動的に一時停止することは、ユーザエクスペリエンスを改善しうる。
【００２９】
[0035]ワイヤレスデバイスは、当業者によって、ユーザ機器（ＵＥ）、モバイル局、加入者局、モバイルユニット、加入者ユニット、ワイヤレスユニット、ワイヤレスノード、遠隔ユニット、モバイルデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語で代替的に呼ばれうる。基地局は、当業者によって、アクセスポイント、ベーストランシーバ局、無線基地局、無線トランシーバ、トランシーバ機能、基本サービスセット（ＢＳＳ）、拡張サービスセット（ＥＳＳ）、ノードＢ、発展型ノードＢ、または何らかの他の適した専門用語で代替的に呼ばれうる。
【００３０】
[0036]以下で議論される実例的な方法および装置は、例えば、ＦｌａｓｈＬｉｎＱ、ＷｉＭｅｄｉａ、Ｂｌｕｅｔｏｏｔｈ（登録商標）、ＺｉｇＢｅｅ、またはＩＥＥＥ８０２．１１規格に基づいたＷｉ−Ｆｉ（登録商標）に基づいたワイヤレスピアツーピア通信システムのような、様々なワイヤレスピアツーピア通信システムのうちのいずれかに適用可能である。議論を簡略化するために、例証的な方法および装置は、ＦｌａｓｈＬｉｎＱのコンテキスト内において議論される。しかしながら、当業者は、例証的な方法および装置がより一般的に様々な他のワイヤレスピアツーピア通信システムに適用可能であることを理解するだろう。
【００３１】
[0037]図２−４は、提示された事項の様々な態様にしたがって様々な方法を例示する。説明の簡略化の目的のために、方法が一連の動作として提示および記述される一方、いくつかの動作が本明細書において提示および記述されるものとは異なる順序で、および／または他の動作と同時に起こりうるため、請求項記載の事項は、動作の順序によって限定されないということが理解および認識されるべきである。例えば、当業者は、方法が、状態図内におけるように、一連の相互に関連する状態またはイベントとして代替的に表されることができることを理解および認識するだろう。その上、すべての例示される動作が請求項記載の事項にしたがって方法を実装するよう必要とされうるわけではない。加えて、以下および本明細書の全体にわたって開示される方法は、そのような方法をコンピュータにトランスポートおよび転送することを容易にするよう製造品上において記憶されることが可能であることがさらに認識されるべきである。本明細書において使用される場合、製造品という用語は、任意のコンピュータ可読デバイス、キャリア、または媒体からアクセス可能なコンピュータプログラムを包含するよう意図される。
【００３２】
[0038]図２は、通信ネットワーク２００（例えば、ピアネットワーク）内における多数のデバイス（２０２、２０４）間における相互作用についての実例的な呼フロー図を図示する。
【００３３】
[0039]オプションの一態様において、動作２０６では、デバイス（２０２、２０４）は、ピアネットワークに接続されうる。一態様において、各デバイスは、接続処理中に一意の識別子を提供しうる。別の態様において、各デバイスはまた、接続処理中にユーザ識別子を含みうる。別の態様において、デバイス（２０２、２０４）間における通信は、直接ピアツーピア通信、ネットワークエンティティ（例えば、ＷｉＦｉ（登録商標）ルータ）を通した通信、セルラベースの通信、等、を使用して遂行されうる。
【００３４】
[0040]動作２０８では、第１のデバイス２０２は、第１のデバイス上において使用されている１つまたは複数のアプリケーションを示すメッセージをブロードキャストしうる。同様に、第２のデバイス２０４は周期的に、別のデバイスが何をしているのかを示すメッセージを受信するようリッスンしうる。例えば、第１のデバイス２０２が映像をストリーミングするよう現在アプリケーションを実行中である場合、そのような現在の使用を示すメッセージをピアネットワークにブロードキャストしうる。
【００３５】
[0041]動作２１０では、イベントは、第２のデバイス２０４に関連付けられて発生しうる。一態様において、イベント発生は、機能、呼、帯域幅集中的アクティビティ、等、の受信および／または開始、緊急メッセージを送信するよう試みること、等、を含みうる。イベント発生に応答して、第２のデバイス２０４は、ピアネットワークに関連付けられる任意の他のデバイス（例えば、２０２）が、その使用がイベント発生に応答して修正されうるアプリケーションを現在アクティブに使用していることを決定しうる。そのような一態様において、イベント発生のタイプは、どのアプリケーションが潜在的に修正されるよう決定されるかに影響しうる。
【００３６】
[0042]動作２１２では、第２のデバイス２０４は、イベントの発生を示すメッセージを第１のデバイス２０２に送信しうる。一態様において、メッセージは、イベントの発生を示す情報、またはイベントの発生に基づいて１つまたは複数の機能を修正するよう第１のデバイスに促す情報のうちの少なくとも１つを含みうる。
【００３７】
[0043]動作２１４では、第１のデバイス２０２は、１つまたは複数の機能のうちの少なくとも１つを標準の動作状態から修正された動作状態に変更しうる。一態様において、機能は、ユーザによって現在使用されているアプリケーション、アプリケーションに関連付けられる情報を現在提示しているユーザインタフェース、アプリケーションによって現在使用されている聴覚出力メカニズム（auditory output mechanism）、等、を含みうる。一態様において、動作状態を変更することは、第１のデバイス上において現在アクティブなアプリケーションの動作を中止すること、ピアネットワーク上において帯域幅使用を修正すること、第１のデバイス上においてユーザインタフェースをオフにすること、第１のデバイス上においてコンテンツの提示を一時停止すること、等、を含みうる。
【００３８】
[0044]動作２１６では、第２のデバイス２０４に関連付けられるイベント発生は、終了しうる。例えば、第２のデバイス２０４は、到来する呼の終結、帯域幅集中的アクティビティの終止、緊急電子メールの送信、等、を行いうる。そのような一態様において、第２のデバイス２０４は、イベントの発生が完了したことを示す情報、または修正された動作状態から標準の動作状態に戻るよう第２のデバイスに促す情報のうちの少なくとも１つを含むメッセージを生成しうる。
【００３９】
[0045]動作２１８では、第２のデバイス２０４は、メッセージを第１のデバイス２０２に送信しうる。
【００４０】
[0046]動作２２０では、第１のデバイス２０２は、第２のデバイスからメッセージを受信し、機能を修正された動作状態から標準の動作状態に戻すように変更しうる。
【００４１】
[0047]図３は、一態様による、多数のデバイスが協調的に相互作用しうる実例的なシステムを記述するフローチャート３００を図示する。一態様において、第１のデバイスおよび第２のデバイスは、ピアネットワークに関連付けられうる。
【００４２】
[0048]オプションの一態様において、ブロック３０２では、通信デバイスは、ピアネットワークに関連付けられる他のデバイスを検出しうる。一態様において、通信デバイスは、他のデバイスの存在を決定するようピア発見を遂行しうる。別の態様において、通信デバイスは、ピアネットワークに関連付けられる他のデバイスに関する情報を含むメッセージを受信しうる。
【００４３】
[0049]そのようなオプションの一態様において、ブロック３０４では、通信デバイスは、１つまたは複数の機能のうちのどれが第１のデバイス上において現在アクティブなのかを示すメッセージを送信しうる。一態様において、通信デバイスは、メッセージを周期的基準で送信しうる。別の態様において、通信デバイスは、情報を受信することをピアネットワーク内における任意の他のデバイスに許可するようメッセージをブロードキャストしうる。なお別の態様において、通信デバイスは、ピアネットワークの一部であることが検出される各デバイスにメッセージを送信しうる。
【００４４】
[0050]ブロック３０６では、通信デバイスは、第２のデバイスからメッセージを受信しうる。一態様において、第２のデバイスからのメッセージは、第２のデバイスに関連付けられるイベントの発生を示す情報、またはイベントの発生に基づいて１つまたは複数の機能を修正するよう第１のデバイスに促す情報のうちの少なくとも１つを含みうる。別の態様において、通信デバイスは、直接ピア通信リンク、ＷＬＡＮベースのリンク、セルラベースのネットワーク、等、またはそれらの任意の組み合わせを使用して、メッセージ、コンテンツ、データ、等、を受信しうる。一態様において、イベントの発生は、第２のデバイスによる、機能、呼、通知、要求、帯域幅集中的アクティビティ、等、またはそれらの任意の組み合わせの受信および／または開始を含みうる。一態様において、１つまたは複数の機能は、ユーザによって現在使用されているアプリケーション、アプリケーションに関連付けられる情報を現在提示しているユーザインタフェース、アプリケーションによって現在使用されている聴覚出力メカニズム、等、を含みうる。
【００４５】
[0051]ブロック３０８では、通信デバイス２０２は、少なくとも１つの機能を標準の動作状態から修正された動作状態に変更しうる。一態様において、機能は、ユーザによって現在使用されているアプリケーション、アプリケーションに関連付けられる情報を現在提示しているユーザインタフェース、アプリケーションによって現在使用されている聴覚出力メカニズム、等、を含みうる。一態様において、通信デバイスは、デバイス上において現在アクティブなアプリケーションの動作を中止すること、ピアネットワーク上において帯域幅使用を修正すること、第１のデバイス上においてユーザインタフェースをオフにすること、デバイス上においてコンテンツの提示を一時停止すること、等、によって動作状態を変更しうる。
【００４６】
[0052]オプションの一態様において、ブロック３１０では、通信デバイスは、第２のデバイスから別のメッセージを受信しうる。一態様において、第２のメッセージは、イベントの発生が完了したことを示し、第１のデバイスに促す情報を含みうる。
【００４７】
[0053]さらに、そのようなオプションの一態様において、ブロック３１２では、通信デバイスは、機能を修正された動作状態から標準の動作状態に戻すように変更しうる。
【００４８】
[0054]図４は、一態様による、多数のデバイスが協調的に相互作用しうる実例的なシステムを記述するフローチャート４００を図示する。一態様において、第１のデバイスおよび第２のデバイスは、ピアネットワークに関連付けられうる。
【００４９】
[0055]ブロック４０２では、通信デバイスは、１つまたは複数の機能のうちのどれが第２のデバイス上において現在アクティブなのかを示すメッセージを受信しうる。一態様において、通信デバイスは、メッセージを周期的基準で受信しうる。別の態様において、通信デバイスは、第２のデバイスによってブロードキャストされるメッセージからメッセージを受信しうる。一態様において、メッセージは、周期的基準で受信されうる。
【００５０】
[0056]ブロック４０４では、通信デバイスは、第１のデバイスに関連付けられるイベントの発生を検出しうる。一態様において、イベントの発生は、機能、呼、通知、要求、帯域幅集中的アクティビティ、等、またはそれらの任意の組み合わせの受信および／または開始を含みうる。
【００５１】
[0057]ブロック４０６では、通信デバイスは、第２のデバイス上における１つまたは複数の機能のうちの少なくとも１つの動作状態がイベントの発生に基づいて修正されうることを、第１のメッセージに基づいて、決定しうる。一態様において、機能は、第２のデバイス上においてユーザによって現在使用されているアプリケーション、アプリケーションに関連付けられる情報を現在提示しているユーザインタフェース、アプリケーションによって現在使用されている聴覚出力メカニズム、等、を含みうる。
【００５２】
[0058]ブロック４０８では、通信デバイスは、第２のデバイスのためにメッセージを生成しうる。一態様において、メッセージは、第１のデバイスに関連付けられるイベントの発生を示す情報を含みうる。別の態様において、メッセージは、イベントの発生に基づいて１つまたは複数の機能のうちの少なくとも１つを標準の動作状態から修正された動作状態に変更するよう第２のデバイスに促す情報を含みうる。
【００５３】
[0059]ブロック４１０では、通信デバイスは、第２のメッセージを第２のデバイスに送信しうる。別の態様において、通信デバイスは、直接ピア通信リンク、ＷＬＡＮベースのリンク、セルラベースのネットワーク、等、またはそれらの任意の組み合わせを使用してメッセージを送信しうる。
【００５４】
[0060]オプションの一態様において、ブロック４１２では、通信デバイスは、イベントの発生が完了したことを検出しうる。
【００５５】
[0061]さらに、そのようなオプションの一態様において、ブロック４１４では、通信デバイスは、第２のデバイスために別のメッセージを生成しうる。そのような一態様において、メッセージは、イベントの発生が完了したことを示す情報を含みうる。別の態様において、メッセージは、修正された動作状態から標準の動作状態に戻るよう第２のデバイスに促す情報を含みうる。
【００５６】
[0062]またさらに、そのようなオプションの一態様において、ブロック４１６では、通信デバイスは、メッセージを第２のデバイスに送信しうる。
【００５７】
[0063]図５は、一態様による、デバイス間における協調的な相互作用を可能にすることを通して向上されたユーザエクスペリエンスを提供するための実例的な通信デバイス５００のブロック図を図示する。通信デバイス５００は、例えば、（提示されない）１つまたは複数の受信アンテナから１つまたは複数の信号を受信し、受信された信号上において典型的な動作（例えば、フィルタリング、増幅、ダウンコンバート、等）を遂行し、サンプルを取得するよう条件付けられた信号をデジタル化する受信機５０２を備える。受信機５０２はさらに、受信された信号の復調のためにキャリア周波数を提供することができる発振器および受信されたシンボルを復調し、それらをチャネル推定のためにプロセッサ５０６に提供することができる復調器を備えることができる。一態様において、通信デバイス５００はさらに、１つまたは複数の二次受信機を備え、情報の追加のチャネルを受信しうる。
【００５８】
[0064]プロセッサ５０６は、受信機５０２によって受信される情報を分析することおよび／または（例示を容易にするために、１つの送信機が提示される）１つまたは複数の送信機５２０による送信のための情報を生成すること専用のプロセッサ、通信デバイス５００のうちの１つまたは複数のコンポーネントを制御するプロセッサ、および／または受信機５０２によって受信される情報を分析することと、（提示されない）１つまたは複数の送信アンテナ上における送信のために送信機５２０による送信のための情報を生成することとの両方を行い、通信デバイス５００のうちの１つまたは複数のコンポーネントを制御するプロセッサであることができる。
【００５９】
[0065]一態様において、プロセッサ５０６および／または提示修正モジュール５３０は、第１のデバイスが、第２のデバイスから第１のメッセージを受信するための手段、および１つまたは複数の機能のうちの少なくとも１つを標準の動作状態から修正された動作状態に変更するための手段を提供しうる。一態様において、第１のメッセージは、第２のデバイスに関連付けられるイベントの発生を示す情報、またはイベントの発生に基づいて１つまたは複数の機能を修正するよう第１のデバイスに促す情報のうちの少なくとも１つを含みうる。別の態様において、第１のデバイスおよび第２のデバイスは、ピアネットワークに関連付けられる。別の態様において、プロセッサ５０６および／または提示修正モジュール５３０は、第１のデバイスが、第２のデバイスから第１のメッセージを受信するための手段、第１のデバイスに関連付けられるイベントの発生を検出するための手段、１つまたは複数の機能のうちの少なくとも１つの動作状態がイベントの発生に基づいて修正されるべきであることを、第１のメッセージに基づいて、決定するための手段、第１のデバイスに関連付けられるイベントの発生を示す情報、またはイベントの発生に基づいて１つまたは複数の機能のうちの少なくとも１つを標準の動作状態から修正された動作状態に変更するよう第２のデバイスに促す情報のうちの少なくとも１つを含む第２のメッセージを生成するための手段、および第２のメッセージを第２のデバイスに送信するための手段を提供しうる。そのような一態様において、第１のメッセージは、第２のデバイス上においてアクティブな１つまたは複数の機能を示す情報を含みうる。
【００６０】
[0066]通信デバイス５００は、プロセッサ５０６に動作可能に結合され、送信されるデータ、受信されたデータ、利用可能なチャネルに関する情報、分析された信号および／または干渉強度に関連付けられるデータ、割り当てられたチャネル、電力、レート、等、に関する情報、およびチャネルを推定し、チャネルを介して通信するための任意の他の適した情報を記憶することができるメモリ５０８を追加的に備えることができる。メモリ５０８は、（例えば、パフォーマンスベース、キャパシティベース、等の）チャネルを推定することおよび／または利用することに関連付けられたプロトコルおよび／またはアルゴリズムを追加的に記憶することができる。一態様において、メモリ５０８は、加入者情報モジュール（ＳＩＭ）、ＣＤＭＡ加入者アイデンティティモジュール（ＣＳＩＭ）、等、に限定されるものではないが、そのような様々なモジュールを含みうるＵＩＣＣを含みうる。
【００６１】
[0067]本明細書において記述されるデータ記憶装置（例えば、メモリ５０８）が揮発性メモリまたは不揮発性メモリのいずれかであることができる、あるいは揮発性および不揮発性メモリの両方を含むことができることが認識されるだろう。限定ではなく例示として、不揮発性メモリは、読取専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、またはフラッシュメモリを含むことができる。揮発性メモリは、ランダムアクセスメモリ（ＲＡＭ）を含むことができ、それは、外部キャッシュメモリとして動作する。限定ではなく例示として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、エンハンストＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）のような多くの形態で利用可能である。主題のシステムおよび方法のメモリ５０８は、それらに限定されることなしに、これらおよび任意の他の適したタイプのメモリを備えるよう意図される。
【００６２】
[0068]通信デバイス５００はさらに、提示修正モジュール５３０、センサ５２２のような１つまたは複数の機能、および１つまたは複数のアプリケーション５２４を含みうる。一態様において、提示修正モジュール５３０は、イベント発生検出モジュール５３２、ピアデバイス通知モジュール５３４、ピアデバイス通知受信モジュール５３６、および／または動作状態修正モジュール５３８を含みうる。イベント発生検出モジュール５３２は、通信デバイス５００に関連付けられるイベント発生を検出するよう構成されうる。一態様において、イベントの発生は、機能、呼、通知、要求、帯域幅集中的アクティビティ、等、またはそれらの任意の組み合わせの受信および／または開始を含みうる。例えば、通信デバイス５００は、セルラ通信システムを通して呼を受信しうる。別の態様において、通信デバイス５００は、ＷＬＡＮエンティティを通して利用可能な帯域幅の大部分を使用するコンテンツをダウンロードするよう試みうる。ピアデバイス通知モジュール５３４は、任意の他のデバイスおよび／または他のデバイスのうちのいずれか上においてアクティブな機能が別のデバイスに関連付けられるイベントの発生によって影響されうるかどうかを決定するよう構成されうる。さらに、ピアデバイス通知モジュール５３４は、イベント発生に基づくメッセージを任意の潜在的に影響されるワイヤレスデバイスに通信しうる。ピアデバイス通知受信モジュール５３６は、別のデバイスに関連付けられるイベントの発生および／または完了を示すメッセージを受信するよう構成されうる。動作状態修正モジュール５３８は、イベント発生および／または完了を示すメッセージの受信に基づいて通信デバイス５００に関連付けられる１つまたは複数の機能の提示、使用、表示、等、を修正するよう構成されうる。一態様において、動作状態修正モジュール５３８は、イベントが発生したおよび／またはイベント発生が完了したかどうかに少なくとも部分的に基づいて修正された動作モードおよび標準の動作モード間を切り替えるよう構成されうる。
【００６３】
[0069]提示修正モジュール５３０の動作は、図３および４のフローチャート内において図示される。
【００６４】
[0070]アプリケーション５２４は、特定のタスクを遂行することにおいて通信デバイスを支援しうる。オプションの一態様において、アプリケーション５２４は、（例えば、メモリ５０８内において記憶される、受信機５０２を通して受信される、等の）通信デバイス５００に関連付けられるコンテンツへのアクセスをユーザに提供しうる。例えば、アプリケーション５２４は、ＶｏＩＰ呼の遂行、映像コンテンツ、通信コンテンツのストリーミング、等、を行うことをユーザに許可するよう使用されうる。
【００６５】
[0071]加えて、通信デバイス５００は、ユーザインタフェース５４０を含みうる。ユーザインタフェース５４０は、通信デバイス５００への入力を生成するための入力メカニズム５４２、および通信デバイス５００のユーザによる消費についての情報を生成するための出力メカニズム５４４を含みうる。例えば、入力メカニズム５２４は、キーまたはキーボード、マウス、タッチスクリーンディスプレイ、マイクロフォン、等、のようなメカニズムを含みうる。さらに、例えば、出力メカニズム５４４は、ディスプレイ、オーディオスピーカ、触覚フィードバックメカニズム、パーソナルエリアネットワーク（ＰＡＮ）トランシーバ、等、を含みうる。一態様において、出力メカニズム５４４は、画像または映像形式のコンテンツを提示するよう動作可能なディスプレイ、またはオーディオ形式のコンテンツを提示するようオーディオスピーカを含みうる。一態様において、提示修正モジュール５３０は、イベントの発生が協調的に接続されたピアデバイス上において検出される場合に出力メカニズム５４４を通して提供されるコンテンツの提示／再生を修正しうる。
【００６６】
[0072]図６は、一態様による、デバイス間における協調的な相互作用を可能にすることを通して改善されたユーザエクスペリエンスを提供するよう動作可能な例証的な通信システム６００のブロック図を図示する。例えば、システム６００は、通信デバイス（例えば、通信デバイス５００）内に少なくとも部分的に存在することができる。システム６００が機能ブロックを含むものとして表されることは認識されるべきであり、それは、プロセッサ、ソフトウェア、またはそれらの組み合わせ（例えば、ファームウェア）によって実装される機能を表す機能ブロックであることができる。システム６００は、連携して動作することができる電気コンポーネントの論理グルーピング６０２を含む。
【００６７】
[0073]例えば、論理グルーピング６０２は、共通ピアネットワークに関連付けられる第２のデバイスからメッセージを受信するための手段６０４を提供しうる電気コンポーネントを含むことができる。例えば、一態様において、受信するための手段６０４は、通信デバイス５００の受信機５０２、提示修正モジュール５３０、および／またはプロセッサ５０６を含むことができる。一態様において、受信するための手段６０４は、第１のデバイスに関連付けられるイベントの発生を示す情報を含むメッセージを受信するよう構成されうる。別の態様において、受信するための手段６０４は、機能を標準の動作状態から修正された動作状態に変更するようデバイスに促す情報を含むメッセージを受信するよう構成されうる。別の態様において、受信するための手段６０４は、イベントの発生が完了したことを示す情報を含むメッセージを受信するよう構成されうる。別の態様において、受信するための手段６０４は、修正された動作状態から標準の動作状態に戻るようデバイスに促す情報を含むメッセージを受信するよう構成されうる。別の態様において、受信するための手段６０４は、直接ピア通信リンク、ＷＬＡＮベースのリンク、セルラベースのネットワーク、等、またはそれらの任意の組み合わせを使用して、メッセージ、コンテンツ、データ、等、を受信するよう構成されうる。一態様において、イベントの発生は、第２のデバイスによる、機能、呼、通知、要求、帯域幅集中的アクティビティ、等、またはそれらの任意の組み合わせの受信および／または開始を含みうる。一態様において、１つまたは複数の機能は、ユーザによって現在使用されているアプリケーション、アプリケーションに関連付けられる情報を現在提示しているユーザインタフェース、アプリケーションによって現在使用されている聴覚出力メカニズム、等、を含みうる。
【００６８】
[0074]さらに、論理グルーピング６０２は、修正された動作状態および標準の動作状態間における機能を変更するための手段６０６を提供しうる電気コンポーネントを含むことができる。例えば、一態様において、変更するための手段６０６は、通信デバイス５００の提示修正モジュール５３０、ユーザインタフェース５４０、および／またはプロセッサ５０６を含むことができる。一態様において、変更するための手段６０６は、デバイス上において現在アクティブなアプリケーションの動作を中止すること、ピアネットワーク上において帯域幅使用を修正すること、第１のデバイス上においてユーザインタフェースをオフにすること、デバイス上においてコンテンツの提示を一時停止すること、等、を行うよう構成されうる。
【００６９】
[0075]さらに、オプションの一態様において、論理グルーピング６０２は、共通ピアネットワーク内においてピアデバイスを検出するための手段６０８を提供しうる電気コンポーネントを含むことができる。例えば、一態様において、検出するための手段６０８は、通信デバイス５００の受信機５０２、提示修正モジュール５３０、および／またはプロセッサ５０６を含むことができる。
【００７０】
[0076]その上、別のオプションの態様において、論理グルーピング６０２は、メッセージを共通ピアネットワークに関連付けられる他のデバイスに送信するための手段６１０を提供しうる電気コンポーネントを含むことができる。例えば、一態様において、送信するための手段６１０は、通信デバイス５００の送信機５２０、提示修正モジュール５３０、および／またはプロセッサ５０６を含むことができる。一態様において、送信するための手段６１０は、周期的基準で現在使用されている機能を示すメッセージを送信するよう構成されうる。
【００７１】
[0077]加えて、システム６００は、電気コンポーネント６０４、６０６、６０８、および６１０に関連付けられる機能を実行するための命令を保持し、電気コンポーネント６０４、６０６、６０８、６１０、等、によって使用または取得されるデータを記憶するメモリ６１２を含むことができる。メモリ６１４の外部に存在するとして提示される一方、電気コンポーネント６０４、６０６、６０８、および６１０のうちの１つまたは複数がメモリ６１２内に存在しうることが理解されるべきである。一例において、電気コンポーネント６０４、６０６、６０８および６１０は、少なくとも１つのプロセッサを含むことができる、または各電気コンポーネント６０４、６０６、６０８および６１０は、少なくとも１つのプロセッサの対応するモジュールであることができる。その上、追加のまたは代替の例において、電気コンポーネント６０４、６０６、６０８および６１０は、コンピュータ可読媒体を含むコンピュータプログラム製品でありえ、各電気コンポーネント６０４、６０６、６０８および６１０は、対応するコードでありうる。
【００７２】
[0078]図７は、一態様による、デバイス間における協調的な相互作用を可能にすることを通して改善されたユーザエクスペリエンスを提供するよう動作可能な例証的な通信システム７００のブロック図を図示する。例えば、システム７００は、通信デバイス（例えば、通信デバイス５００）内に少なくとも部分的に存在することができる。システム７００が機能ブロックを含むものとして表されることは認識されるべきであり、それは、プロセッサ、ソフトウェア、またはそれらの組み合わせ（例えば、ファームウェア）によって実装される機能を表す機能ブロックであることができる。システム７００は、連携して動作することができる電気コンポーネントの論理グルーピング７０２を含む。
【００７３】
[0079]例えば、論理グルーピング７０２は、共通ピアネットワークに関連付けられる第２のデバイスからメッセージを受信するための手段７０４を提供しうる電気コンポーネントを含むことができる。例えば、一態様において、受信するための手段７０４は、通信デバイス５００の受信機５０２、提示修正モジュール５３０、および／またはプロセッサ５０６を含むことができる。一態様において、受信するための手段７０４は、第２のデバイス上においてアクティブな１つまたは複数の機能を示す情報を含む第２デバイスから第１のメッセージを受信するよう構成されうる。一態様において、第１のデバイスおよび第２のデバイスは、共通ピアネットワークに関連付けられうる。別の態様において、メッセージは、周期的基準で受信されうる。一態様において、１つまたは複数の機能は、ユーザによって現在使用されているアプリケーション、アプリケーションに関連付けられる情報を現在提示しているユーザインタフェース、アプリケーションによって現在使用されている聴覚出力メカニズム、等、を含みうる。別の態様において、受信するための手段７０４は、直接ピア通信リンク、ＷＬＡＮベースのリンク、セルラベースのネットワーク、等、またはそれらの任意の組み合わせを使用して、メッセージ、コンテンツ、データ、等、を受信するよう構成されうる。
【００７４】
[0080]さらに、論理グルーピング７０２は、第１のデバイスに関連付けられるイベントの発生および／またはイベントの完了を検出するための手段７０６を提供しうる電気コンポーネントを含むことができる。例えば、一態様において、検出するための手段７０６は、通信デバイス５００の受信機５０２、センサ５２２、提示修正モジュール５３０、ユーザインタフェース５４０、および／またはプロセッサ５０６を含むことができる。一態様において、イベントの発生は、機能、呼、通知、要求、帯域幅集中的アクティビティ、等、またはそれらの任意の組み合わせの受信および／または開始を含みうる。
【００７５】
[0081]さらに、論理グループ７０２は、第２のデバイスに関連付けられる機能の動作状態がイベント発生に基づいて修正されうることを決定するための手段７０８を提供しうる電気コンポーネントを含むことができる。例えば、一態様において、決定するための手段７０８は、通信デバイス５００の提示修正モジュール５３０、および／またはプロセッサ５０６を含むことができる。
【００７６】
[0082]さらに、論理グルーピング７０２は、第１のデバイスに関連付けられるイベント発生および／またはイベントの完了に基づいてメッセージを生成するための手段７１０を提供しうる電気コンポーネントを含むことができる。例えば、一態様において、生成するための手段７１０は、通信デバイス５００の提示修正モジュール５３０、および／またはプロセッサ５０６を含むことができる。一態様において、生成するための手段７１０は、第１のデバイスに関連付けられるイベントの発生を示す情報を含むメッセージを生成するよう構成されうる。別の態様において、生成するための手段７１０は、機能を標準の動作状態から修正された動作状態に変更するよう第２のデバイスに促す情報を含むメッセージを生成するよう構成されうる。別の態様において、生成するための手段７１０は、イベントの発生が完了したことを示す情報を含むメッセージを生成するよう構成されうる。別の態様において、生成するための手段７１０は、修正された動作状態から標準の動作状態に戻るよう第２のデバイスに促す情報を含むメッセージを生成するよう構成されうる。
【００７７】
[0083]その上、論理グルーピング７０２は、メッセージを共通ピアネットワークに関連付けられる他のデバイスに送信するための手段７１２を提供しうる電気コンポーネントを含むことができる。例えば、一態様において、送信するための手段７１２は、通信デバイス５００の送信機５２０、提示修正モジュール５３０、および／またはプロセッサ５０６を含むことができる。別の態様において、送信するための手段７１２は、直接ピア通信リンク、ＷＬＡＮベースのリンク、セルラベースのネットワーク、等、またはそれらの任意の組み合わせを使用して、メッセージ、コンテンツ、データ、等、を送信するよう構成されうる。
【００７８】
[0084]加えて、システム７００は、電気コンポーネント７０４、７０６、７０８、７１０、および７１２に関連付けられる機能を実行するための命令を保持し、電気コンポーネント７０４、７０６、７０８、７１０、７１２、等、によって使用または取得されるデータを記憶するメモリ７１４を含むことができる。メモリ７１４の外部に存在するとして提示される一方、電気コンポーネント７０４、７０６、７０８、７１０、および７１２のうちの１つまたは複数がメモリ７１４内に存在しうることが理解されるべきである。一例において、電気コンポーネント７０４、７０６、７０８、７１０、および７１２は、少なくとも１つのプロセッサを含むことができる、または各電気コンポーネント７０４、７０６、７０８、７１０、および７１２は、少なくとも１つのプロセッサの対応するモジュールであることができる。その上、追加のまたは代替の例において、電気コンポーネント７０４、７０６、７０８、７１０、および７１２は、コンピュータ可読媒体を含むコンピュータプログラム製品でありえ、各電気コンポーネント７０４、７０６、７０８、７１０、および７１２は、対応するコードでありうる。
【００７９】
[0085]本願内において使用される場合、「コンポーネント」、「モジュール」、「システム」、等、の用語は、ハードウェア、ファームウェア、ハードウェアとソフトウェアの組み合わせ、ソフトウェア、または実行中のソフトウェアに限定されるものではないが、それらのようなコンピュータ関連エンティティを含むよう意図される。例えば、コンポーネントは、プロセッサ上において実行中の処理、プロセッサ、オブジェクト、実行可能ファイル、実行スレッド、プログラム、および／またはコンピュータでありうるが、それらに限定されるわけではない。例示として、計算デバイス上において実行中のアプリケーションおよび計算デバイスの両方は、コンポーネントであることができる。１つまたは複数のコンポーネントは、処理および／または実行スレッド内において存在することができ、コンポーネントは、１つのコンピュータ上においてローカライズおよび／または２つ以上のコンピュータ間において分散されうる。加えて、これらのコンポーネントは、その上に記憶された様々なデータ構造を有する様々なコンピュータ可読媒体から実行することができる。コンポーネントは、信号を介して他のシステムを有するインターネットのようなネットワークにわたるおよび／または、ローカルシステム、分配されたシステム内における別のコンポーネントと相互作用する１つのコンポーネントからのデータのような、１つまたは複数のデータパケットを有する信号に従うことなどによってローカルおよび／または遠隔処理を介して通信しうる。
【００８０】
[0086]さらに、様々な態様が端末に関連して本明細書において記述され、それは、ワイヤード端末またはワイヤレス端末であることができる。端末はまた、システム、デバイス、加入者ユニット、加入者局、モバイル局、モバイル、モバイルデバイス、遠隔局、遠隔端末、アクセス端末、ユーザ端末、端末、通信デバイス、ユーザエージェント、ユーザデバイス、またはユーザ機器（ＵＥ）と呼ばれることができる。ワイヤレス端末は、セルラ電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、計算デバイス、またはワイヤレスモデムに接続された他の処理デバイスでありうる。その上、様々な態様が基地局に関連して本明細書において記述される。基地局は、ワイヤレス端末と通信するために利用され、アクセスポイント、ノードＢ、または何らかの他の用語でも呼ばれうる。
【００８１】
[0087]その上、「または／あるいは／もしくは（or）」という用語は、排他的な「または／あるいは／もしくは」というよりはむしろ包括的な「または／あるいは／もしくは」を意味するよう意図される。すなわち、そうではないと規定されていない、またはコンテキストから明らかでない限り、「ＸはＡまたはＢを用いる」という句は、自然な包括的置換のうちのいずれかを意味するよう意図される。すなわち、「ＸはＡまたはＢを用いる」という句は、 ＸはＡを用いる、ＸはＢを用いる、またはＸはＡおよびＢの両方を用いる、という例のうちのいずれかによって満たされる。加えて、本願および添付された特許請求の範囲内において使用される冠詞「ａ」および「ａｎ」は一般的に、そうではないと規定されない、または単数を対象とすることがコンテキストから明らかでない限り、「１つまたは複数」を意味するよう解釈されるべきである。
【００８２】
[0088]本明細書において記述された技法は、ＣＤＭＡ、ＴＤＭＡ、ＦＤＭＡ、ＯＦＤＭＡ、ＳＣ−ＦＤＭＡ、ＴＤ−ＳＣＤＭＡおよび他のシステムのような様々なワイヤレス通信システムのために使用されうる。「システム」および「ネットワーク」という用語は、交換可能に使用されることが多い。ＣＤＭＡシステムは、ＵＴＲＡ、ｃｄｍａ２０００、等、のような無線技術を実装しうる。ＵＴＲＡは、広帯域ＣＤＭＡ（Ｗ−ＣＤＭＡ（登録商標））およびＣＤＭＡの他の変形を含む。さらに、ｃｄｍａ２０００は、ＩＳ−２０００、ＩＳ−９５、およびＩＳ−８５６規格をカバーする。ＴＤＭＡシステムは、ＧＳＭ（登録商標）のような無線技術を実装しうる。ＯＦＤＭＡシステムは、Ｅ−ＵＴＲＡ、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュＯＦＤＭ（登録商標）、等、のような無線技術を実装しうる。ＵＴＲＡおよびＥ−ＵＴＲＡは、ユニバーサルモバイル電気通信システム（ＵＭＴＳ）の一部である。３ＧＰＰロングタームエボリューション（ＬＴＥ）は、Ｅ−ＵＴＲＡを使用するＵＭＴＳのリリースであり、それは、ダウンリンク上においてＯＦＤＭＡを、アップリンク上においてＳＣ−ＦＤＭＡを用いる。ＵＴＲＡ、Ｅ−ＵＴＲＡ、ＵＭＴＳ、ＬＴＥおよびＧＳＭ（登録商標）は、「第３世代パートナシッププロジェクト」（３ＧＰＰ）という名称の組織からの文書内において記述される。加えて、ｃｄｍａ２０００およびＵＭＢは、「第３世代パートナシッププロジェクト２」（３ＧＰＰ２）という名称の組織からの文書内において記述される。さらに、そのようなワイヤレス通信システムは、不対であり認可されていないスペクトル、８０２．ｘｘワイヤレスＬＡＮ、ＢＬＵＥＴＯＯＴＨ（登録商標）および任意の他の短距離または長距離ワイヤレス通信技法を使用することが多いピアツーピア（例えば、モバイルツーモバイル）アドホックネットワークシステムを追加的に含みうる。
【００８３】
[0089]様々な態様または特徴は、多数のデバイス、コンポーネント、モジュール、等、を含みうるシステムの観点から提示されるだろう。様々なシステムが追加のデバイス、コンポーネント、モジュール、等、を含み、および／または図面に関連して論議される全てのデバイス、コンポーネント、モジュール、等、を含まない可能性があることは理解および認識されるべきである。これらのアプローチの組み合わせはまた、使用されうる。
【００８４】
[0090]本明細書において開示された態様に関連して記述された様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、あるいは本明細書において記述された機能を遂行するよう設計されたそれらの任意の組み合わせで実装または遂行されうる。汎用プロセッサは、マイクロプロセッサでありうるが、代替において、プロセッサは、任意の従来のプロセッサ、コントローラ、マイクロコントローラ、またはステートマシンでありうる。プロセッサはまた、計算デバイスの組み合わせ、例えば、ＤＳＰおよびマイクロプロセッサ、複数のマイクロプロセッサ、ＤＳＰコアと連携した１つまたは複数のマイクロプロセッサ、または任意の他のそのような構成の組み合わせとして実装されうる。加えて、少なくとも１つのプロセッサは、上述されたステップおよび／または動作のうちの１つまたは複数を遂行するよう動作可能な１つまたは複数のモジュールを備えうる。
【００８５】
[0091]さらに、本明細書において開示された態様に関連して記述された方法またはアルゴリズムのステップおよび／または動作は、直接ハードウェア内において、プロセッサによって実行されるソフトウェアモジュール内において、または２つの組み合わせ内において具現化されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバルディスク、ＣＤ−ＲＯＭ、または当該技術分野において知られる任意の他の形状の記憶媒体内において存在しうる。例証的な記憶媒体は、プロセッサが記憶媒体から情報を読み取り、記憶媒体に情報を書き込むことができるように、プロセッサに結合されうる。代替において、記憶媒体はプロセッサに統合されうる。さらに、いくつかの態様において、プロセッサおよび記憶媒体は、ＡＳＩＣ内において存在しうる。加えて、ＡＳＩＣはユーザ端末内において存在しうる。代替において、プロセッサおよび記憶媒体は、ユーザ端末内において離散コンポーネントとして存在しうる。加えて、いくつかの態様において、方法またはアルゴリズムのステップおよび／または動作は、機械可読媒体および／またはコンピュータ可読媒体上においてコードおよび／または命令の１つまたは任意の組み合わせあるいはセットとして存在し、それらは、コンピュータプログラム製品内に組み込まれうる。
【００８６】
[0092]１つまたは複数の態様において、記述された機能は、ハードウェア、ソフトウェア、ファームウェア、またはそれらの任意の組み合わせ内において実装されうる。ソフトウェア内において実装される場合、機能は、コンピュータ可読媒体上において１つまたは複数の命令またはコードとして記憶あるいは送信されうる。コンピュータ可読媒体は、１つの場所から別の場所へのコンピュータプログラムの転送を容易にする任意の媒体を含むコンピュータ記憶媒体および通信媒体の両方を含む。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは命令もしくはデータ構造の形で所望のプログラムコードを搬送または記憶するよう使用されることができ、コンピュータによってアクセスされることができる任意の他の媒体を備えることができる。また、任意の接続は、コンピュータ可読媒体と称されうる。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、マイクロ波のようなワイヤレス技術は、媒体の定義に含まれる。ディスク（disk）およびディスク（disc）は、本明細書において使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイディスク（disc）を含み、ディスク（disk）は通常、データを磁気的に再生するが、ディスク（disc）は通常、レーザーを用いて光学的にデータを再生する。上記の組み合わせはまた、コンピュータ可読媒体の範囲内に含まれるべきである。
【００８７】
[0093]上記の開示が例示的な態様および／または実施形態について論議する一方、添付された特許請求の範囲によって定義された記述された態様および／または実施形態の範囲から逸脱することなく、様々な変更および修正が本明細書において行われることができることに留意されたい。さらに、記述される態様および／または実施形態の要素は、単数形で記述または請求項に記載されうるが、単数形に対する限定が明示的に述べられない限り複数形が考慮される。加えて、そうではないと述べられていない限り、任意の態様および／または実施形態のうちの全てまたは一部は、任意の他の態様および／または実施形態のうちの全てまたは一部とともに利用されうる。
【００８８】
[0094]「例証的（exemplary）」という用語は、例、実例、または例示としての役割を果たすことを意味するよう本明細書において使用される。「例証的」として本明細書において記述された任意の態様または設計は、必ずしも他の態様または設計に対して好ましいまたは有利であるとして解釈されるわけではない。加えて、本明細書において使用される場合、項目のリスト「のうちの少なくとも１つ」を指すフレーズは、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするよう意図される。
【００８９】
[0095]本明細書において開示される方法は、記述された方法を達成するための１つまたは複数のステップまたは動作を備える。方法のステップおよび／または動作は、特許請求の範囲から逸脱することなしに互いに置き換えられうる。言い換えれば、ステップまたは動作の特有の順序が明記されない限り、特有のステップおよび／または動作の順序および／または使用は、特許請求の範囲から逸脱することなしに修正されうる。
【図１】
2016225999.tif 000003
【図２】
2016225999.tif 000004
【図３】
2016225999.tif 000005
【図４】
2016225999.tif 000006
【図５】
2016225999.tif 000007
【図６】
2016225999.tif 000008
【図７】
2016225999.tif 000009
【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
通信の方法であって、
第１のユーザデバイスが、第２のユーザデバイスからブロードキャストされた第１のメッセージを受信することと、ここにおいて、前記第１のメッセージは、前記第２のユーザデバイスに関連付けられるイベントの発生を示す情報、または前記第２のユーザデバイスに関連付けられる前記イベントの前記発生に基づいて前記第１のユーザデバイスの１つまたは複数の機能のうちの少なくとも１つを修正するよう前記第１のユーザデバイスに促す情報のうちの少なくとも１つを含み、前記第１のユーザデバイスおよび前記第２のユーザデバイスは、ピアネットワークに関連付けられる、
前記第１のメッセージを受信することに応答して、前記１つまたは複数の機能のうちの前記少なくとも１つを標準の動作状態から修正された動作状態に変更することと
を備える、方法。
【請求項２】
前記第２のユーザデバイスから第２のメッセージを受信することと、ここにおいて、前記第２のメッセージは、前記イベントの前記発生が完了したことを示す情報を含む、
前記１つまたは複数の機能のうちの前記少なくとも１つを前記修正された動作状態から前記標準の動作状態に戻すように変更することと
をさらに備える、請求項１に記載の方法。
【請求項３】
前記第２のユーザデバイスが前記ピアネットワークに関連付けられることを検出すること
をさらに備える、請求項１に記載の方法。
【請求項４】
前記第１のユーザデバイスの前記１つまたは複数の機能のうちのどれが前記第１のユーザデバイス上において現在アクティブなのかを示すメッセージを、前記第１のユーザデバイスが、少なくとも前記第２のユーザデバイスに送信すること
をさらに備え、
前記第１のユーザデバイスの前記１つまたは複数の機能のうちのどれが前記第１のユーザデバイス上において現在アクティブなのかを示す前記メッセージは、周期的基準で送信される、請求項３に記載の方法。
【請求項５】
前記イベントの前記発生は、
前記第２のユーザデバイスに関連付けられる１つまたは複数の機能が前記第２のユーザデバイス上において今現在アクティブであるというインジケーション、
前記第２のユーザデバイスによる呼の受信、
前記第２のユーザデバイスによる通知の受信、
前記第２のユーザデバイスによる帯域幅集中的アクティビティの受信、
前記第２のユーザデバイスによる前記呼の開始、
前記第２のユーザデバイスによる前記通知の開始、
前記第２のユーザデバイスによる前記帯域幅集中的アクティビティの開始、または
それらの任意の組み合わせ
のうちの少なくとも１つを備える、請求項１に記載の方法。
【請求項６】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズム
のうちの少なくとも１つを備える、請求項１に記載の方法。
【請求項７】
前記１つまたは複数の機能のうちの少なくとも１つを前記標準の動作状態から前記修正された動作状態に変更することは、
前記第１のユーザデバイス上において現在アクティブなアプリケーションの動作を中止すること、
前記ピアネットワーク上において帯域幅使用を修正すること、
前記第１のユーザデバイス上においてユーザインタフェースをオフにすること、または、
前記第１のユーザデバイス上においてコンテンツの提示を一時停止すること
のうちの少なくとも１つを備える、請求項１に記載の方法。
【請求項８】
前記第１のメッセージは、
直接ピア通信リンク、
ワイヤレスローカルエリアネットワーク（ＷＬＡＮ）ベースのリンク、
セルラベースのネットワーク、または
それらの任意の組み合わせ
のうちの少なくとも１つを使用して前記第２のユーザデバイスから受信される、請求項１に記載の方法。
【請求項９】
前記イベントの前記発生は、前記第２のユーザデバイスによる呼の受信または開始を備える、請求項１に記載の方法。
【請求項１０】
通信の方法であって、
第１のデバイスが、第２のデバイスからブロードキャストされた第１のメッセージを受信することと、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記第１のデバイスに関連付けられるイベントの発生を検出することと、
前記１つまたは複数の機能のうちの少なくとも１つの動作状態が前記イベントの前記発生に基づいて修正されるべきであることを、前記第１のメッセージに基づいて、決定することと、
前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成することと、
前記第２のメッセージを前記第２のデバイスに送信することと
を備える、方法。
【請求項１１】
前記イベントの前記発生が完了したことを検出することと、
前記イベントの前記発生が完了したことを示す情報、または前記修正された動作状態から前記標準の動作状態に戻るよう前記第２のデバイスに促す情報のうちの少なくとも１つを含む第３のメッセージを生成することと、
前記第３のメッセージを前記第２のデバイスに送信することと
をさらに備える、請求項１０に記載の方法。
【請求項１２】
前記第１のメッセージは、周期的基準で受信される、請求項１０に記載の方法。
【請求項１３】
前記イベントの前記発生は、
前記第１のデバイスに関連付けられる１つまたは複数の機能が前記第１のデバイス上において今現在アクティブであるというインジケーション、
前記第１のデバイスによる呼の受信、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、または
それらの任意の組み合わせ
のうちの少なくとも１つを備える、請求項１０に記載の方法。
【請求項１４】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズム
のうちの少なくとも１つを備える、請求項１０に記載の方法。
【請求項１５】
前記第１のメッセージは、
直接ピア通信リンク、
ワイヤレスローカルエリアネットワーク（ＷＬＡＮ）ベースのリンク、
セルラベースのネットワーク、または
それらの任意の組み合わせ
のうちの少なくとも１つを使用して前記第２のデバイスから受信される、請求項１０に記載の方法。
【請求項１６】
通信のための装置であって、
第１のユーザデバイスが、第２のユーザデバイスからブロードキャストされた第１のメッセージを受信するための手段と、ここにおいて、前記第１のメッセージは、前記第２のユーザデバイスに関連付けられるイベントの発生を示す情報、または前記第２のユーザデバイスに関連付けられる前記イベントの前記発生に基づいて前記第１のユーザデバイスの１つまたは複数の機能のうちの少なくとも１つを修正するよう前記第１のユーザデバイスに促す情報のうちの少なくとも１つを含み、前記第１のユーザデバイスおよび前記第２のユーザデバイスは、ピアネットワークに関連付けられる、
前記第１のメッセージの受信に応答して、前記１つまたは複数の機能のうちの前記少なくとも１つを標準の動作状態から修正された動作状態に変更するための手段と
を備える、装置。
【請求項１７】
前記受信するための手段は、前記第２のユーザデバイスから第２のメッセージを受信するための手段を備え、前記第２のメッセージは、前記イベントの前記発生が完了したことを示す情報を含み、
前記変更するための手段は、前記１つまたは複数の機能のうちの前記少なくとも１つを前記修正された動作状態から前記標準の動作状態に戻すように変更するための手段を備える、請求項１６に記載の装置。
【請求項１８】
前記第２のユーザデバイスが前記ピアネットワークに関連付けられることを検出するための手段
をさらに備える、請求項１６に記載の装置。
【請求項１９】
前記第１のユーザデバイスの前記１つまたは複数の機能のうちのどれが前記第１のユーザデバイス上において現在アクティブなのかを示すメッセージを、前記第１のユーザデバイスが、少なくとも前記第２のユーザデバイスに送信するための手段
をさらに備え、
前記送信するための手段は、前記第１のユーザデバイスの前記１つまたは複数の機能のうちのどれが前記第１のユーザデバイス上において現在アクティブなのかを示す前記メッセージを周期的基準で送信するための手段を備える、請求項１８に記載の装置。
【請求項２０】
前記イベントの前記発生は、
前記第２のユーザデバイスに関連付けられる１つまたは複数の機能が前記第２のユーザデバイス上において今現在アクティブであるというインジケーション、
前記第２のユーザデバイスによる呼の受信、
前記第２のユーザデバイスによる通知の受信、
前記第２のユーザデバイスによる帯域幅集中的アクティビティの受信、
前記第２のユーザデバイスによる前記呼の開始、
前記第２のユーザデバイスによる前記通知の開始、
前記第２のユーザデバイスによる前記帯域幅集中的アクティビティの開始、または
それらの任意の組み合わせ
のうちの少なくとも１つを備える、請求項１６に記載の装置。
【請求項２１】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズム
のうちの少なくとも１つを備える、請求項１６に記載の装置。
【請求項２２】
前記変更するための手段は、
前記第１のユーザデバイス上において現在アクティブなアプリケーションの動作を中止するための手段、
前記ピアネットワーク上において帯域幅使用を修正するための手段、
前記第１のユーザデバイス上においてユーザインタフェースをオフにするための手段、または、
前記第１のユーザデバイス上においてコンテンツの提示を一時停止するための手段
のうちの少なくとも１つを備える、請求項１６に記載の装置。
【請求項２３】
前記受信するための手段は、
直接ピア通信リンク、
ワイヤレスローカルエリアネットワーク（ＷＬＡＮ）ベースのリンク、
セルラベースのネットワーク、または
それらの任意の組み合わせ
のうちの少なくとも１つを使用して前記第２のユーザデバイスから前記第１のメッセージを受信するための手段を備える、請求項１６に記載の装置。
【請求項２４】
通信のための装置であって、
第１のデバイスが、第２のデバイスからブロードキャストされた第１のメッセージを受信するための手段と、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記第１のデバイスに関連付けられるイベントの発生を検出するための手段と、
前記１つまたは複数の機能のうちの少なくとも１つの動作状態が前記イベントの前記発生に基づいて修正されるべきであることを、前記第１のメッセージに基づいて、決定するための手段と、
前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成するための手段と、
前記第２のメッセージを前記第２のデバイスに送信するための手段と
を備える、装置。
【請求項２５】
前記検出するための手段は、前記イベントの前記発生が完了したことを検出するための手段を備え、
前記生成するための手段は、前記イベントの前記発生が完了したことを示す情報、または前記修正された動作状態から前記標準の動作状態に戻るよう前記第２のデバイスに促す情報のうちの少なくとも１つを含む第３のメッセージを生成するための手段を備え、
前記送信するための手段は、前記第３のメッセージを前記第２のデバイスに送信するための手段を備える、請求項２４に記載の装置。
【請求項２６】
前記受信するための手段は、前記第１のメッセージを周期的基準で受信するための手段を備える、請求項２４に記載の装置。
【請求項２７】
前記イベントの前記発生は、
前記第１のデバイスによる呼の受信、
前記第１のデバイスに関連付けられる１つまたは複数の機能が前記第１のデバイス上において今現在アクティブであるというインジケーション、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、または
それらの任意の組み合わせ
のうちの少なくとも１つを備える、請求項２４に記載の装置。
【請求項２８】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズム
のうちの少なくとも１つを備える、請求項２４に記載の装置。
【請求項２９】
前記受信するための手段は、
直接ピア通信リンク、
ワイヤレスローカルエリアネットワーク（ＷＬＡＮ）ベースのリンク、
セルラベースのネットワーク、または
それらの任意の組み合わせ
のうちの少なくとも１つを使用して前記第２のデバイスから前記第１のメッセージを受信するための手段を備える、請求項２４に記載の装置。
【請求項３０】
コンピュータプログラムであって、
コンピュータに、第１のユーザデバイスが、第２のユーザデバイスからブロードキャストされた第１のメッセージを受信することをさせるための少なくとも１つの命令と、ここにおいて、前記第１のメッセージは、前記第２のユーザデバイスに関連付けられるイベントの発生を示す情報、または前記第２のユーザデバイスに関連付けられる前記イベントの前記発生に基づいて前記第１のユーザデバイスの１つまたは複数の機能のうちの少なくとも１つを修正するよう前記第１のユーザデバイスに促す情報のうちの少なくとも１つを含み、前記第１のユーザデバイスおよび前記第２のユーザデバイスは、ピアネットワークに関連付けられる、
前記コンピュータに、前記第１のメッセージの受信に応答して、前記１つまたは複数の機能のうちの前記少なくとも１つを標準の動作状態から修正された動作状態に変更させるための少なくとも１つの命令と
を備える、コンピュータプログラム。
【請求項３１】
前記コンピュータに、前記第２のユーザデバイスから第２のメッセージを受信させるための少なくとも１つの命令と、ここにおいて、前記第２のメッセージは、前記イベントの前記発生が完了したことを示す情報を含む、
前記コンピュータに、前記１つまたは複数の機能のうちの前記少なくとも１つを前記修正された動作状態から前記標準の動作状態に戻すように変更させるための少なくとも１つの命令と
をさらに備える、請求項３０に記載のコンピュータプログラム。
【請求項３２】
前記コンピュータに、前記第２のユーザデバイスが前記ピアネットワークに関連付けられることを検出させるための少なくとも１つの命令
をさらに備える、請求項３０に記載のコンピュータプログラム。
【請求項３３】
前記コンピュータに、前記第１のユーザデバイスの前記１つまたは複数の機能のうちのどれが前記第１のユーザデバイス上において現在アクティブなのかを示すメッセージを、前記第１のユーザデバイスが、少なくとも前記第２のユーザデバイスに送信することをさせるための少なくとも１つの命令
をさらに備え、
前記コンピュータに、前記第１のユーザデバイスの前記１つまたは複数の機能のうちのどれが前記第１のユーザデバイス上において現在アクティブなのかを示す前記メッセージを送信させるための前記少なくとも１つの命令は、前記コンピュータに、前記第１のユーザデバイスの前記１つまたは複数の機能のうちのどれが前記第１のユーザデバイス上において現在アクティブなのかを示す前記メッセージを周期的基準で送信させるための少なくとも１つの命令を備える、請求項３２に記載のコンピュータプログラム。
【請求項３４】
前記イベントの前記発生は、
前記第２のユーザデバイスに関連付けられる１つまたは複数の機能が前記第２のユーザデバイス上において今現在アクティブであるというインジケーション、
前記第２のユーザデバイスによる呼の受信、
前記第２のユーザデバイスによる通知の受信、
前記第２のユーザデバイスによる帯域幅集中的アクティビティの受信、
前記第２のユーザデバイスによる前記呼の開始、
前記第２のユーザデバイスによる前記通知の開始、
前記第２のユーザデバイスによる前記帯域幅集中的アクティビティの開始、または
それらの任意の組み合わせ
のうちの少なくとも１つを備える、請求項３０に記載のコンピュータプログラム。
【請求項３５】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズム
のうちの少なくとも１つを備える、請求項３０に記載のコンピュータプログラム。
【請求項３６】
前記コンピュータに、
前記第１のユーザデバイス上において現在アクティブなアプリケーションの動作を中止すること、
前記ピアネットワーク上において帯域幅使用を修正すること、
前記第１のユーザデバイス上においてユーザインタフェースをオフにすること、または、
前記第１のユーザデバイス上においてコンテンツの提示を一時停止すること
のうちの少なくとも１つを遂行させるための少なくとも１つの命令をさらに備える、請求項３０に記載のコンピュータプログラム。
【請求項３７】
前記コンピュータに、前記第２のメッセージを受信させるための前記少なくとも１つの命令は、
直接ピア通信リンク、
ワイヤレスローカルエリアネットワーク（ＷＬＡＮ）ベースのリンク、
セルラベースのネットワーク、または
それらの任意の組み合わせ
のうちの少なくとも１つを使用して、前記コンピュータに、前記第２のユーザデバイスから前記第１のメッセージを受信させるための少なくとも１つの命令を備える、請求項３０に記載のコンピュータプログラム。
【請求項３８】
コンピュータプログラムであって、
コンピュータに、第１のデバイスが、第２のデバイスからブロードキャストされた第１のメッセージを受信することをさせるための少なくとも１つの命令と、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記コンピュータに、前記第１のデバイスに関連付けられるイベントの発生を検出させるための少なくとも１つの命令と、
前記コンピュータに、前記１つまたは複数の機能のうちの少なくとも１つの動作状態が前記イベントの前記発生に基づいて修正されるべきであることを、前記第１のメッセージに基づいて、決定させるための少なくとも１つの命令と、
前記コンピュータに、前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成させるための少なくとも１つの命令と、
前記コンピュータに、前記第２のメッセージを前記第２のデバイスに送信させるための少なくとも１つの命令と
を備える、コンピュータプログラム。
【請求項３９】
前記コンピュータに、前記イベントの前記発生が完了したことを検出させるための少なくとも１つの命令と、
前記コンピュータに、前記イベントの前記発生が完了したことを示す情報、または前記修正された動作状態から前記標準の動作状態に戻るよう前記第２のデバイスに促す情報のうちの少なくとも１つを含む第３のメッセージを生成させるための少なくとも１つの命令と、
前記コンピュータに、前記第３のメッセージを前記第２のデバイスに送信させるための少なくとも１つの命令と
をさらに備える、請求項３８に記載のコンピュータプログラム。
【請求項４０】
前記コンピュータに、前記第１のメッセージを受信させるための前記少なくとも１つの命令は、前記コンピュータに、前記第１のメッセージを周期的基準で受信させるための少なくとも１つも命令を備える、請求項３８に記載のコンピュータプログラム。
【請求項４１】
前記イベントの前記発生は、
前記第１のデバイスに関連付けられる１つまたは複数の機能が前記第１のデバイス上において今現在アクティブであるというインジケーション、
前記第１のデバイスによる呼の受信、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、または
それらの任意の組み合わせ
のうちの少なくとも１つを備える、請求項３８に記載のコンピュータプログラム。
【請求項４２】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズム
のうちの少なくとも１つを備える、請求項３８に記載のコンピュータプログラム。
【請求項４３】
前記コンピュータに、前記第１のメッセージを受信させるための前記少なくとも１つの命令は、
直接ピア通信リンク、
ワイヤレスローカルエリアネットワーク（ＷＬＡＮ）ベースのリンク、
セルラベースのネットワーク、または
それらの任意の組み合わせ
のうちの少なくとも１つを使用して、前記コンピュータに、前記第２のデバイスから前記第１のメッセージを受信させるための少なくとも１つの命令を備える、請求項３８に記載のコンピュータプログラム。
【請求項４４】
通信のための装置であって、
処理システムを備え、前記処理システムは、
第１のユーザデバイスが、第２のユーザデバイスからブロードキャストされた第１のメッセージを受信することと、ここにおいて、前記第１のメッセージは、前記第２のユーザデバイスに関連付けられるイベントの発生を示す情報、または前記第２のユーザデバイスに関連付けられる前記イベントの前記発生に基づいて前記第１のユーザデバイスの１つまたは複数の機能のうちの少なくとも１つを修正するよう前記第１のユーザデバイスに促す情報のうちの少なくとも１つを含み、前記第１のユーザデバイスおよび前記第２のユーザデバイスは、ピアネットワークに関連付けられる、
前記第１のメッセージの受信に応答して、前記１つまたは複数の機能のうちの前記少なくとも１つを標準の動作状態から修正された動作状態に変更することと
を行うよう構成される、装置。
【請求項４５】
前記処理システムは、
前記第２のユーザデバイスから第２のメッセージを受信することと、ここにおいて、前記第２のメッセージは、前記イベントの前記発生が完了したことを示す情報を含む、
前記１つまたは複数の機能のうちの前記少なくとも１つを前記修正された動作状態から前記標準の動作状態に戻すように変更することと
を行うようさらに構成される、請求項４４に記載の装置。
【請求項４６】
前記処理システムは、
前記第２のユーザデバイスが前記ピアネットワークに関連付けられることを検出すること
を行うようさらに構成される、請求項４４に記載の装置。
【請求項４７】
前記処理システムはさらに、
前記第１のユーザデバイスの前記１つまたは複数の機能のうちのどれが前記第１のユーザデバイス上において現在アクティブなのかを示すメッセージを、前記第１のユーザデバイスが、少なくとも前記第２のユーザデバイスに送信すること
を行うようさらに構成され、
前記処理システムは、前記第１のユーザデバイスの前記１つまたは複数の機能のうちのどれが前記第１のユーザデバイス上において現在アクティブなのかを示す前記メッセージを周期的基準で送信するよう構成される、請求項４６に記載の装置。
【請求項４８】
前記イベントの前記発生は、
前記第２のユーザデバイスに関連付けられる１つまたは複数の機能が前記第２のユーザデバイス上において今現在アクティブであるというインジケーション、
前記第２のユーザデバイスによる呼の受信、
前記第２のユーザデバイスによる通知の受信、
前記第２のユーザデバイスによる帯域幅集中的アクティビティの受信、
前記第２のユーザデバイスによる前記呼の開始、
前記第２のユーザデバイスによる前記通知の開始、
前記第２のユーザデバイスによる前記帯域幅集中的アクティビティの開始、または
それらの任意の組み合わせ
のうちの少なくとも１つを備える、請求項４４に記載の装置。
【請求項４９】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズム
のうちの少なくとも１つを備える、請求項４４に記載の装置。
【請求項５０】
前記処理システムは、
前記第１のユーザデバイス上において現在アクティブなアプリケーションの動作を中止すること、
前記ピアネットワーク上において帯域幅使用を修正すること、
前記第１のユーザデバイス上においてユーザインタフェースをオフにすること、または、
前記第１のユーザデバイス上においてコンテンツの提示を一時停止すること
のうちの少なくとも１つを遂行するようさらに構成される、請求項４４に記載の装置。
【請求項５１】
前記処理システムは、
直接ピア通信リンク、
ワイヤレスローカルエリアネットワーク（ＷＬＡＮ）ベースのリンク、
セルラベースのネットワーク、または
それらの任意の組み合わせ
のうちの少なくとも１つを使用して前記第２のユーザデバイスから前記第１のメッセージを受信するよう構成される、請求項４４に記載の装置。
【請求項５２】
通信のための装置であって、
処理システムを備え、前記処理システムは、
第１のデバイスが、第２のデバイスからブロードキャストされた第１のメッセージを受信することと、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記第１のデバイスに関連付けられるイベントの発生を検出することと、
前記１つまたは複数の機能のうちの少なくとも１つの動作状態が前記イベントの前記発生に基づいて修正されるべきであることを、前記第１のメッセージに基づいて、決定することと、
前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成することと、
前記第２のメッセージを前記第２のデバイスに送信することと
を行うよう構成される、装置。
【請求項５３】
前記処理システムは、
前記イベントの前記発生が完了したことを検出することと、
前記イベントの前記発生が完了したことを示す情報、または前記修正された動作状態から前記標準の動作状態に戻るよう前記第２のデバイスに促す情報のうちの少なくとも１つを含む第３のメッセージを生成することと、
前記第３のメッセージを前記第２のデバイスに送信することと
を行うようさらに構成される、請求項５２に記載の装置。
【請求項５４】
前記処理システムは、前記第１のメッセージを周期的基準で受信するよう構成される、請求項５２に記載の装置。
【請求項５５】
前記イベントの前記発生は、
前記第１のデバイスによる呼の受信、
前記第１のデバイスに関連付けられる１つまたは複数の機能が前記第１のデバイス上において今現在アクティブであるというインジケーション、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、または
それらの任意の組み合わせ
のうちの少なくとも１つを備える、請求項５２に記載の装置。
【請求項５６】
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズム
のうちの少なくとも１つを備える、請求項５２に記載の装置。
【請求項５７】
前記処理システムは、
直接ピア通信リンク、
ワイヤレスローカルエリアネットワーク（ＷＬＡＮ）ベースのリンク、
セルラベースのネットワーク、または
それらの任意の組み合わせ
のうちの少なくとも１つを使用して前記第２のデバイスから前記第１のメッセージを受信するよう構成される、請求項５２に記載の装置。
【手続補正２】
【補正対象書類名】明細書
【補正対象項目名】００８９
【補正方法】変更
【補正の内容】
【００８９】
[0095]本明細書において開示される方法は、記述された方法を達成するための１つまたは複数のステップまたは動作を備える。方法のステップおよび／または動作は、特許請求の範囲から逸脱することなしに互いに置き換えられうる。言い換えれば、ステップまたは動作の特有の順序が明記されない限り、特有のステップおよび／または動作の順序および／または使用は、特許請求の範囲から逸脱することなしに修正されうる。
以下に本願発明の当初の特許請求の範囲に記載された発明を付記する。
［Ｃ１］
通信の方法であって、
第１のデバイスが、第２のデバイスから第１のメッセージを受信することと、ここにおいて、前記第１のメッセージは、前記第２のデバイスに関連付けられるイベントの発生を示す情報、または前記イベントの前記発生に基づいて１つまたは複数の機能を修正するよう前記第１のデバイスに促す情報のうちの少なくとも１つを含み、前記第１のデバイスおよび前記第２のデバイスは、ピアネットワークに関連付けられる、
前記１つまたは複数の機能のうちの少なくとも１つを標準の動作状態から修正された動作状態に変更することと
を備える、方法。
［Ｃ２］
前記第２のデバイスから第２のメッセージを受信することと、ここにおいて、前記第２のメッセージは、前記イベントの前記発生が完了したことを示す情報を含む、
前記１つまたは複数の機能のうちの前記少なくとも１つを前記修正された動作状態から前記標準の動作状態に戻すように変更することと
をさらに備える、Ｃ１に記載の方法。
［Ｃ３］
前記第２のデバイスが前記ピアネットワークに関連付けられることを検出することと、
前記１つまたは複数の機能のうちのどれが前記第１のデバイス上において現在アクティブなのかを示す第３のメッセージを送信することと
をさらに備える、Ｃ１に記載の方法。
［Ｃ４］
前記第３のメッセージは、周期的基準で送信される、Ｃ３に記載の方法。
［Ｃ５］
前記イベントの前記発生は、
前記第２のデバイスに関連付けられる１つまたは複数の機能が前記第２のデバイス上において今現在アクティブであるというインジケーション、
前記第２のデバイスによる呼の受信、
前記第２のデバイスによる通知の受信、
前記第２のデバイスによる帯域幅集中的アクティビティの受信、
前記第２のデバイスによる前記呼の開始、
前記第２のデバイスによる前記通知の開始、
前記第２のデバイスによる前記帯域幅集中的アクティビティの開始、またはそれらの任意の組み合わせのうちの少なくとも１つを備える、Ｃ１に記載の方法。
［Ｃ６］
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、Ｃ１に記載の方法。
［Ｃ７］
前記１つまたは複数の機能のうちの少なくとも１つを前記標準の動作状態から前記修正された動作状態に変更することは、
前記第１のデバイス上において現在アクティブなアプリケーションの動作を中止すること、
前記ピアネットワーク上において帯域幅使用を修正すること、
前記第１のデバイス上においてユーザインタフェースをオフにすること、または、
前記第１のデバイス上においてコンテンツの提示を一時停止することのうちの少なくとも１つを備える、Ｃ１に記載の方法。
［Ｃ８］
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、Ｃ１に記載の方法。
［Ｃ９］
通信の方法であって、
第１のデバイスが、第２のデバイスから第１のメッセージを受信することと、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記第１のデバイスに関連付けられるイベントの発生を検出することと、
前記１つまたは複数の機能のうちの少なくとも１つの動作状態が前記イベントの前記発生に基づいて修正されるべきであることを、前記第１のメッセージに基づいて、決定することと、
前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成することと、
前記第２のメッセージを前記第２のデバイスに送信することと
を備える、方法。
［Ｃ１０］
前記イベントの前記発生が完了したことを検出することと、
前記イベントの前記発生が完了したことを示す情報、または前記修正された動作状態から前記標準の動作状態に戻るよう前記第２のデバイスに促す情報のうちの少なくとも１つを含む第３のメッセージを生成することと、
前記第３のメッセージを前記第２のデバイスに送信することと
をさらに備える、Ｃ９に記載の方法。
［Ｃ１１］
前記第１のメッセージは、周期的基準で受信される、Ｃ９に記載の方法。
［Ｃ１２］
前記イベントの前記発生は、
前記第１のデバイスに関連付けられる１つまたは複数の機能が前記第１のデバイス上において今現在アクティブであるというインジケーション、
前記第１のデバイスによる呼の受信、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、またはそれらの任意の組み合わせのうちの少なくとも１つを備える、Ｃ９に記載の方法。
［Ｃ１３］
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、Ｃ９に記載の方法。
［Ｃ１４］
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、Ｃ９に記載の方法。
［Ｃ１５］
通信のための装置であって、
第１のデバイスが、第２のデバイスから第１のメッセージを受信するための手段と、ここにおいて、前記第１のメッセージは、前記第２のデバイスに関連付けられるイベントの発生を示す情報、または前記イベントの前記発生に基づいて１つまたは複数の機能を修正するよう前記第１のデバイスに促す情報のうちの少なくとも１つを含み、前記第１のデバイスおよび前記第２のデバイスは、ピアネットワークに関連付けられる、
前記１つまたは複数の機能のうちの少なくとも１つを標準の動作状態から修正された動作状態に変更するための手段と
を備える、装置。
［Ｃ１６］
前記受信するための手段は、前記第２のデバイスから第２のメッセージを受信するようさらに構成され、前記第２のメッセージは、前記イベントの前記発生が完了したことを示す情報を含み、
前記変更するための手段は、前記１つまたは複数の機能のうちの前記少なくとも１つを前記修正された動作状態から前記標準の動作状態に戻すように変更するようさらに構成される、Ｃ１５に記載の装置。
［Ｃ１７］
前記第２のデバイスが前記ピアネットワークに関連付けられることを検出するための手段と、
前記１つまたは複数の機能のうちのどれが前記第１のデバイス上において現在アクティブなのかを示す第３のメッセージを送信するための手段と
をさらに備える、Ｃ１５に記載の装置。
［Ｃ１８］
前記第３のメッセージは、周期的基準で送信される、Ｃ１７に記載の装置。
［Ｃ１９］
前記イベントの前記発生は、
前記第２のデバイスに関連付けられる１つまたは複数の機能が前記第２のデバイス上において今現在アクティブであるというインジケーション、
前記第２のデバイスによる呼の受信、
前記第２のデバイスによる通知の受信、
前記第２のデバイスによる帯域幅集中的アクティビティの受信、
前記第２のデバイスによる前記呼の開始、
前記第２のデバイスによる前記通知の開始、
前記第２のデバイスによる前記帯域幅集中的アクティビティの開始、またはそれらの任意の組み合わせのうちの少なくとも１つを備える、Ｃ１５に記載の装置。
［Ｃ２０］
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、Ｃ１５に記載の装置。
［Ｃ２１］
前記変更するための手段は、
前記第１のデバイス上において現在アクティブなアプリケーションの動作を中止すること、
前記ピアネットワーク上において帯域幅使用を修正すること、
前記第１のデバイス上においてユーザインタフェースをオフにすること、または、
前記第１のデバイス上においてコンテンツの提示を一時停止することのうちの少なくとも１つを遂行するようさらに構成される、Ｃ１５に記載の装置。
［Ｃ２２］
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、Ｃ１５に記載の装置。
［Ｃ２３］
通信のための装置であって、
第１のデバイスが、第２のデバイスから第１のメッセージを受信するための手段と、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記第１のデバイスに関連付けられるイベントの発生を検出するための手段と、
前記１つまたは複数の機能のうちの少なくとも１つの動作状態が前記イベントの前記発生に基づいて修正されるべきであることを、前記第１のメッセージに基づいて、決定するための手段と、
前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成するための手段と、
前記第２のメッセージを前記第２のデバイスに送信するための手段と
を備える、装置。
［Ｃ２４］
前記検出するための手段は、前記イベントの前記発生が完了したことを検出するようさらに構成され、
前記生成するための手段は、前記イベントの前記発生が完了したことを示す情報、または前記修正された動作状態から前記標準の動作状態に戻るよう前記第２のデバイスに促す情報のうちの少なくとも１つを含む第３のメッセージを生成するようさらに構成され、
前記送信するための手段は、前記第３のメッセージを前記第２のデバイスに送信するようさらに構成される、Ｃ２３に記載の装置。
［Ｃ２５］
前記第１のメッセージは、周期的基準で受信される、Ｃ２３に記載の装置。
［Ｃ２６］
前記イベントの前記発生は、
前記第１のデバイスによる呼の受信、
前記第１のデバイスに関連付けられる１つまたは複数の機能が前記第１のデバイス上において今現在アクティブであるというインジケーション、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、またはそれらの任意の組み合わせのうちの少なくとも１つを備える、Ｃ２３に記載の装置。
［Ｃ２７］
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、Ｃ２３に記載の装置。
［Ｃ２８］
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、Ｃ２３に記載の装置。
［Ｃ２９］
コンピュータプログラム製品であって、
コンピュータ可読媒体を備え、前記コンピュータ可読媒体は、
コンピュータに、第１のデバイスが、第２のデバイスから第１のメッセージを受信することをさせるための少なくとも１つの命令と、ここにおいて、前記第１のメッセージは、前記第２のデバイスに関連付けられるイベントの発生を示す情報、または前記イベントの前記発生に基づいて１つまたは複数の機能を修正するよう前記第１のデバイスに促す情報のうちの少なくとも１つを含み、前記第１のデバイスおよび前記第２のデバイスは、ピアネットワークに関連付けられる、
前記コンピュータに、前記１つまたは複数の機能のうちの少なくとも１つを標準の動作状態から修正された動作状態に変更させるための少なくとも１つの命令と
を備える、コンピュータプログラム製品。
［Ｃ３０］
前記コンピュータ可読媒体は、
前記コンピュータに、前記第２のデバイスから第２のメッセージを受信させるための少なくとも１つの命令と、ここにおいて、前記第２のメッセージは、前記イベントの前記発生が完了したことを示す情報を含む、
前記コンピュータに、前記１つまたは複数の機能のうちの前記少なくとも１つを前記修正された動作状態から前記標準の動作状態に戻すように変更させるための少なくとも１つの命令と
をさらに備える、Ｃ２９に記載のコンピュータプログラム製品。
［Ｃ３１］
前記コンピュータ可読媒体は、
前記コンピュータに、前記第２のデバイスが前記ピアネットワークに関連付けられることを検出させるための少なくとも１つの命令と、
前記コンピュータに、前記１つまたは複数の機能のうちのどれが前記第１のデバイス上において現在アクティブなのかを示す第３のメッセージを送信させるための少なくとも１つの命令と
をさらに備える、Ｃ２９に記載のコンピュータプログラム製品。
［Ｃ３２］
前記第３のメッセージは、周期的基準で送信される、Ｃ３１に記載のコンピュータプログラム製品。
［Ｃ３３］
前記イベントの前記発生は、
前記第２のデバイスに関連付けられる１つまたは複数の機能が前記第２のデバイス上において今現在アクティブであるというインジケーション、
前記第２のデバイスによる呼の受信、
前記第２のデバイスによる通知の受信、
前記第２のデバイスによる帯域幅集中的アクティビティの受信、
前記第２のデバイスによる前記呼の開始、
前記第２のデバイスによる前記通知の開始、
前記第２のデバイスによる前記帯域幅集中的アクティビティの開始、またはそれらの任意の組み合わせのうちの少なくとも１つを備える、Ｃ２９に記載のコンピュータプログラム製品。
［Ｃ３４］
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、Ｃ２９に記載のコンピュータプログラム製品。
［Ｃ３５］
前記コンピュータ可読媒体は、前記コンピュータに、
前記第１のデバイス上において現在アクティブなアプリケーションの動作を中止すること、
前記ピアネットワーク上において帯域幅使用を修正すること、
前記第１のデバイス上においてユーザインタフェースをオフにすること、または、
前記第１のデバイス上においてコンテンツの提示を一時停止することのうちの少なくとも１つを遂行させるための少なくとも１つの命令をさらに備える、Ｃ２９に記載のコンピュータプログラム製品。
［Ｃ３６］
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、Ｃ２９に記載のコンピュータプログラム製品。
［Ｃ３７］
コンピュータプログラム製品であって、
コンピュータ可読媒体を備え、前記コンピュータ可読媒体は、
コンピュータに、第１のデバイスが、第２のデバイスから第１のメッセージを受信することをさせるための少なくとも１つの命令と、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記コンピュータに、前記第１のデバイスに関連付けられるイベントの発生を検出させるための少なくとも１つの命令と、
前記コンピュータに、前記１つまたは複数の機能のうちの少なくとも１つの動作状態が前記イベントの前記発生に基づいて修正されるべきであることを、前記第１のメッセージに基づいて、決定させるための少なくとも１つの命令と、
前記コンピュータに、前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成させるための少なくとも１つの命令と、
前記コンピュータに、前記第２のメッセージを前記第２のデバイスに送信させるための少なくとも１つの命令と
を備える、コンピュータプログラム製品。
［Ｃ３８］
前記コンピュータ可読媒体は、
前記コンピュータに、前記イベントの前記発生が完了したことを検出させるための少なくとも１つの命令と、
前記コンピュータに、前記イベントの前記発生が完了したことを示す情報、または前記修正された動作状態から前記標準の動作状態に戻るよう前記第２のデバイスに促す情報のうちの少なくとも１つを含む第３のメッセージを生成させるための少なくとも１つの命令と、
前記コンピュータに、前記第３のメッセージを前記第２のデバイスに送信させるための少なくとも１つの命令と
をさらに備える、Ｃ３７に記載のコンピュータプログラム製品。
［Ｃ３９］
前記第１のメッセージは、周期的基準で受信される、Ｃ３７に記載のコンピュータプログラム製品。
［Ｃ４０］
前記イベントの前記発生は、
前記第１のデバイスに関連付けられる１つまたは複数の機能が前記第１のデバイス上において今現在アクティブであるというインジケーション、
前記第１のデバイスによる呼の受信、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、またはそれらの任意の組み合わせのうちの少なくとも１つを備える、Ｃ３７に記載のコンピュータプログラム製品。
［Ｃ４１］
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、Ｃ３７に記載のコンピュータプログラム製品。
［Ｃ４２］
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、Ｃ３７に記載のコンピュータプログラム製品。
［Ｃ４３］
通信のための装置であって、
処理システムを備え、前記処理システムは、
第１のデバイスが、第２のデバイスから第１のメッセージを受信することと、ここにおいて、前記第１のメッセージは、前記第２のデバイスに関連付けられるイベントの発生を示す情報、または前記イベントの前記発生に基づいて１つまたは複数の機能を修正するよう前記第１のデバイスに促す情報のうちの少なくとも１つを含み、前記第１のデバイスおよび前記第２のデバイスは、ピアネットワークに関連付けられる、
前記１つまたは複数の機能のうちの少なくとも１つを標準の動作状態から修正された動作状態に変更することと
を行うよう構成される、装置。
［Ｃ４４］
前記処理システムは、
前記第２のデバイスから第２のメッセージを受信することと、ここにおいて、前記第２のメッセージは、前記イベントの前記発生が完了したことを示す情報を含む、
前記１つまたは複数の機能のうちの前記少なくとも１つを前記修正された動作状態から前記標準の動作状態に戻すように変更することと
を行うようさらに構成される、Ｃ４３に記載の装置。
［Ｃ４５］
前記処理システムは、
前記第２のデバイスが前記ピアネットワークに関連付けられることを検出することと、
前記１つまたは複数の機能のうちのどれが前記第１のデバイス上において現在アクティブなのかを示す第３のメッセージを送信することと
を行うようさらに構成される、Ｃ４３に記載の装置。
［Ｃ４６］
前記第３のメッセージは、周期的基準で送信される、Ｃ４５に記載の装置。
［Ｃ４７］
前記イベントの前記発生は、
前記第２のデバイスに関連付けられる１つまたは複数の機能が前記第２のデバイス上において今現在アクティブであるというインジケーション、
前記第２のデバイスによる呼の受信、
前記第２のデバイスによる通知の受信、
前記第２のデバイスによる帯域幅集中的アクティビティの受信、
前記第２のデバイスによる前記呼の開始、
前記第２のデバイスによる前記通知の開始、
前記第２のデバイスによる前記帯域幅集中的アクティビティの開始、またはそれらの任意の組み合わせのうちの少なくとも１つを備える、Ｃ４３に記載の装置。
［Ｃ４８］
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、Ｃ４３に記載の装置。
［Ｃ４９］
前記処理システムは、
前記第１のデバイス上において現在アクティブなアプリケーションの動作を中止すること、
前記ピアネットワーク上において帯域幅使用を修正すること、
前記第１のデバイス上においてユーザインタフェースをオフにすること、または、
前記第１のデバイス上においてコンテンツの提示を一時停止することのうちの少なくとも１つを遂行するようさらに構成される、Ｃ４３に記載の装置。
［Ｃ５０］
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、Ｃ４３に記載の装置。
［Ｃ５１］
通信のための装置であって、
処理システムを備え、前記処理システムは、
第１のデバイスが、第２のデバイスから第１のメッセージを受信することと、ここにおいて、前記第１のメッセージは、前記第２のデバイス上においてアクティブな１つまたは複数の機能を示す情報を含み、前記第１のデバイスおよび前記第２のデバイスは、ピアネットワークに関連付けられる、
前記第１のデバイスに関連付けられるイベントの発生を検出することと、
前記１つまたは複数の機能のうちの少なくとも１つの動作状態が前記イベントの前記発生に基づいて修正されるべきであることを、前記第１のメッセージに基づいて、決定することと、
前記第１のデバイスに関連付けられる前記イベントの前記発生を示す情報、または前記イベントの前記発生に基づいて前記１つまたは複数の機能のうちの少なくとも１つを標準の動作状態から修正された動作状態に変更することを前記第２のデバイスに促す情報のうちの少なくとも１つを含む第２のメッセージを生成することと、
前記第２のメッセージを前記第２のデバイスに送信することと
を行うよう構成される、装置。
［Ｃ５２］
前記処理システムは、
前記イベントの前記発生が完了したことを検出することと、
前記イベントの前記発生が完了したことを示す情報、または前記修正された動作状態から前記標準の動作状態に戻るよう前記第２のデバイスに促す情報のうちの少なくとも１つを含む第３のメッセージを生成することと、
前記第３のメッセージを前記第２のデバイスに送信することと
を行うようさらに構成される、Ｃ５１に記載の装置。
［Ｃ５３］
前記第１のメッセージは、周期的基準で受信される、Ｃ５１に記載の装置。
［Ｃ５４］
前記イベントの前記発生は、
前記第１のデバイスによる呼の受信、
前記第１のデバイスに関連付けられる１つまたは複数の機能が前記第１のデバイス上において今現在アクティブであるというインジケーション、
前記第１のデバイスによる通知の受信、
前記第１のデバイスによる帯域幅集中的アクティビティの受信、
前記第１のデバイスによる前記呼の開始、
前記第１のデバイスによる前記通知の開始、
前記第１のデバイスによる前記帯域幅集中的アクティビティの開始、またはそれらの任意の組み合わせのうちの少なくとも１つを備える、Ｃ５１に記載の装置。
［Ｃ５５］
前記１つまたは複数の機能は、
ユーザによって現在使用されているアプリケーション、
前記アプリケーションに関連付けられる情報を現在提示しているユーザインタフェース、または、
前記アプリケーションによって現在使用されている聴覚出力メカニズムのうちの少なくとも１つを備える、Ｃ５１に記載の装置。
［Ｃ５６］
前記第１のメッセージは、
直接ピア通信リンク、
ワイヤレスローカルエリアネットワーク（ＷＬＡＮ）ベースのリンク、
セルラベースのネットワーク、またはそれらの任意の組み合わせのうちの少なくとも１つを使用して前記第２のデバイスから受信される、Ｃ５１に記載の装置。
【外国語明細書】
2016225999000001.pdf